(57)【特許請求の範囲】
【請求項１】
少なくとも１つのツイストペア、１つのネットワークケーブル、１つの装備を施されたネットワークケーブルおよびそれらの組み合わせからなるグループから選択されたカスケードしている相互接続されたネットワークケーブルを介して符号化されたステレオ信号を伝播することによって、セレクター／エンコーダーを、サウンド分配器を介してＡおよびＢスピーカーの単一のペアとＡおよびＢスピーカーのペアの少なくとも１つと、ホームオートメーションのサウンド分配システムに組み合わせるための方法であって、
前記カスケードしているネットワークの少なくとも１つのセグメントは、コネクター、ピグテール、装置を施されたピグテール、ジャンクションボックス、ジャンクションボード、ジャンクションストリップ、端子ブロックおよびそれらの組み合わせからなるグループから選択された壁ソケットによって交差され、前記Ａスピーカーの各々は、前記ステレオ信号を復号するための復号部と、復号された信号を増幅し、増幅されたステレオ信号を前記ＡおよびＢスピーカーに供給するためのステレオアンプと、前記符号化されたステレオ信号に多重化されたものの１つを介して、および第三のツイストペアを通して、直接前記セレクター／エンコーダーおよび前記サウンド分配器を介して前記セレクター／エンコーダーとの１つで、シリアル信号を交換するためのＣＰＵを含み、前記方法は、
ａ．前記符号化されたステレオ信号をデコーダーに供給するために、前記ネットワークケーブルと直接および前記サウンド分配器の１つを介して、前記セレクター／エンコーダーを前記Ａスピーカーに相互接続するステップと、
ｂ．前記１つのツイストペアを介した一定の電流、第二のツイストペアを介したＤＣパワー、前記サウンド分配器を通してカスケードしている前記１つのツイストペアを介した前記一定の電流、および前記サウンド分配器を通してカスケードしている前記第二のツイストペアを介した前記ＤＣパワーからなるグループから選択されたフィードによって、前記Ａスピーカーを含んだ前記サウンド分配システムにパワーを与えるために、前記セレクター／エンコーダーをパワーサプライに接続するステップと、
ｃ．前記増幅されたステレオ信号のＢチャネルを前記Ｂスピーカーに供給するために、前記ＡおよびＢスピーカーの間でカスケードしている後続のセグメントケーブルのツイストペアを相互接続するステップと、
ｄ．ステレオケーブルを介して前記セレクター／エンコーダーを少なくとも１つの音楽ソースに接続するステップと、
ｅ．前記第三のツイストペアと前記１つのツイストペアを介した前記多重化されたものの少なくとも１つを介して、前記シリアル信号を前記セレクター／エンコーダーと前記復号部の間で交換するステップと、
ｆ．前記サウンド分配システムを、前記セレクター／エンコーダーのタッチキーを介してかまたは前記セレクター／エンコーダーと関連付けられた遠隔制御部を介して、操作するステップと、を含む方法。
【請求項２】
サウンドパワー出力を増加するための前記ステレオアンプによるより高い電流ドレインを提供するように、充電可能なバッテリーが前記Ａスピーカーと関連付けられており、前記復号部に一定の電流を供給することの１つは、前記バッテリーを充電するための電流を含み、前記ＤＣパワーは、前記バッテリーをランダムに充電することを提供する、請求項１によるサウンド分配システムを組み合わせるための方法。
【請求項３】
第一のセグメントは、前記少なくとも１つの壁ソケットによって交差された前記装備を施されたネットワークケーブルからなり、前記装備を施されたネットワークケーブルは、少なくとも前記１つのツイストペアからなる、請求項１によるサウンド分配システムを組み合わせるための方法。
【請求項４】
前記Ａスピーカーはマイクロホンを含み、前記１つのツイストペアを介して前記符号化されたステレオ信号と多重化されたマイクロホン信号と、第四のツイストペアと少なくとも１つの遠隔制御受信機を介したアナログマイクロホン信号の１つを供給し、前記セレクター／エンコーダーと前記サウンド分配器の１つは、前記アナログマイクロホン信号の１つをインターコムに、前記多重化された信号から抽出されたマイクロホン信号を前記インターコムに供給し、インターコムスピーカー信号のためのバッファーと、前記シリアル信号を前記インターコムと交換するためのポートを含み、
前記壁ソケットと前記サウンド分配器の１つは、４つのツイストペアを接続することを提供し、１つはインターコムスピーカーラインを前記セレクター／エンコーダーに接続し、もう１つは直接および前記サウンド分配器の１つを介してマイクロホンラインを前記インターコムに接続し、第三のツイストペアは前記サウンド分配システムの制御および操作を前記インターコムと一体化するために前記インターコムのシリアル信号ラインを前記ポートと相互接続するためのものであり、前記方法は、
ａ．インターコムスピーカー信号を前記セレクター／エンコーダーに、前記マイクロホン信号を前記インターコムに伝播するため、および前記シリアル信号を前記セレクター／エンコーダーと前記サウンド分配器の前記少なくとも１つと前記インターコムの間で交
換するために、インターコムスピーカーラインとマイクロホンラインと前記インターコムの前記シリアル信号ラインを前記壁ソケットと前記サウンド分配器の１つに接続するステップと、
ｂ．インターコムモードに切り替えるようにと、前記インターコムスピーカー信号のモノラルサウンドを符号化するようにと、前記マイクロホンと前記インターコムとのオープンボイス通信を可能とするように、前記シリアル信号を介して前記セレクター／エンコーダーと前記サウンド分配器と前記復号部と前記インターコムに命令するステップと、
ｃ．前記タッチキーと前記インターコムのキーの１つかまたは前記遠隔制御部を介した前記サウンド分配システムの操作の機能を含んだ、前記インターコムとの通信を制御するステップと、を更に含む、請求項３によるサウンド分配システムを組み合わせるための方法。
【請求項５】
前記ＡおよびＢスピーカーの少なくとも１つは、前記ＡおよびＢスピーカーを接続している前記ケーブルを介しておよび前記セレクター／エンコーダーと前記サウンド分配器を接続している前記ケーブルを介して、遠隔制御信号を含んだ前記シリアル信号を交換するための少なくとも１つの遠隔制御受信機と少なくとも１つの遠隔制御送信機を含み、
前記セレクター／エンコーダーと前記サウンド分配器の各々は、前記サウンド分配システムをホームオートメーションシステムと一体化するために、ホームオートメーション分配器のシリアルポートを通して前記遠隔制御信号を含んだ前記シリアル信号を交換するためのポートを含み、前記方法は、
ａ．前記ホームオートメーション分配器の前記シリアルポートを前記サウンド分配器と前記セレクター／エンコーダーの１つの前記ポートに接続するステップと、
ｂ．前記セレクター／エンコーダー、前記サウンド分配器、前記ホームオートメーション分配器、前記遠隔制御部、前記Ａスピーカー、前記Ｂスピーカー、前記シリアルポート、前記ポート、前記ホームオートメーションシステムに含まれた遠隔制御ドライバーおよびそれらの組み合わせからなるグループから選択された媒体を通して、前記ホームオートメーション分配器と前記サウンド分配器と前記セレクター／エンコーダーの間で前記シリアル信号を交換することによって、ホームオートメーションと一体化されたサウンドを操作するステップと、
を更に含む、請求項１によるサウンド分配システムを組み合わせるための方法。
【請求項６】
前記セレクター／エンコーダーと前記サウンド分配器と前記Ａスピーカーは、前記符号化されたステレオ信号を第一のツイストペアを介して、ＤＣパワーリンクを第二のツイストペアを介して伝播し、前記シリアル信号はカスケードしている装備を施されたネットワークケーブルの第三のツイストペアを介して交換され、前記セレクター／エンコーダーと前記サウンド分配器と前記Ａスピーカーと前記Ｂスピーカーは、前記装備を施されたネットワークケーブルのためのマッチしたコネクターを含み、前記Ｂスピーカーはまた、前記装備を施されたネットワークケーブルを介して前記Ａスピーカーに接続する、請求項１によるサウンド分配システムを組み合わせるための方法。
【請求項７】
少なくとも１つのツイストペア、１つのネットワークケーブル、１つの装備を施されたネットワークケーブルおよびそれらの組み合わせからなるグループから選択されたカスケードしている相互接続されたネットワークケーブルを介して符号化されたステレオ信号を伝播することによって、セレクター／エンコーダーを、サウンド分配器を介してＡおよびＢスピーカーの単一ペアとＡおよびＢスピーカーのペアの少なくとも１つと、ホームオートメーションのサウンド分配システムに組み合わせるための装置であって、前記カスケードしているネットワークの少なくとも１つのセグメントは、コネクター、ピグテール、装備を施されたピグテール、ジャンクションボックス、ジャンクションボード、ジャンクションストリップ、端子ブロックおよびそれらの組み合わせからなるグループから選択された壁ソケットによって交差され、前記Ａスピーカーの各々は、前記ステレオ信号を復号するための復号部と、復号された信号を増幅し、増幅されたステレオ信号を前記ＡおよびＢスピーカーに供給するためのステレオアンプと、前記符号化されたステレオ信号に多重化されたものの１つを介して、および第三のツイストペアを通して、直接前記セレクター／エンコーダーとおよび前記サウンド分配器を介して前記セレクター／エンコーダーとの１つで、シリアル信号を交換するためのＣＰＵを含み、
前記セレクター／エンコーダーは、前記符号化されたステレオ信号をデコーダーに供給するため、および前記第三のツイストペアと前記１つのツイストペアを介した前記多重化されたものの少なくとも１つを介して、前記シリアル信号を前記セレクター／エンコーダーと前記復号部の間で交換するために、前記ネットワークケーブルと直接および前記サウンド分配器の１つを介して、前記Ａスピーカーに接続され、また前記１つのツイストペアを介した一定の電流、第二のツイストペアを介したＤＣパワー、前記サウンド分配器を通してカスケードしている前記１つのツイストペアを介した前記一定の電流、および前記サウンド分配器を通してカスケードしている前記第二のツイストペアを介した前記ＤＣパワーからなるグループから選択されたパワーフィードによって、前記Ａスピーカーを含んだ前記サウンド分配システムにパワーを与えるために、パワーサプライに接続され、前記Ｂスピーカーは、前記増幅されたＢチャネル信号を入力するために、前記Ａスピーカーと後続セグメントケーブルのツイストペアによって接続され、前記セレクター／エンコーダーは、ステレオケーブルを介して少なくとも１つの音楽ソースに入力コネクターを通して接続され、前記サウンド分配システムは、前記セレクター／エンコーダーのタッチキーを介してかまたは前記セレクター／エンコーダーと関連付けられた遠隔制御部を介して、操作される、
装置。
【請求項８】
サウンドパワー出力を増加するための前記アンプによるより高い電流ドレインを提供するように、充電可能なバッテリーが前記Ａスピーカーと関連付けられており、前記復号部に一定の電流を供給することの１つは、前記バッテリーを充電するための電流を含み、前記ＤＣパワーは、前記バッテリーをランダムに充電することを提供する、請求項７によるサウンド分配システムを組み合わせるための装置。
【請求項９】
第一のセグメントは、前記少なくとも１つの壁ソケットによって交差された前記装備を施されたネットワークケーブルからなり、前記装備を施されたネットワークケーブルは、少なくとも前記１つのツイストペアからなる、請求項７によるサウンド分配システムを組み合わせるための装置。
【請求項１０】
前記Ａスピーカーは、前記１つのツイストペアを介して前記符号化されたステレオ信号と多重化されたマイクロホン信号と、第四のツイストペアと少なくとも１つの遠隔制御受信機を介したアナログマイクロホン信号の１つを供給するためのマイクロホンを含み、前記セレクター／エンコーダーと前記サウンド分配器の１つは、前記アナログマイクロホン信号の１つと、前記多重化された信号からの抽出されたマイクロホン信号を前記インターコムに供給し、
前記セレクター／エンコーダーと前記サウンド分配器の１つは、インターコムスピーカー信号のためのバッファーと、前記シリアル信号を前記インターコムと交換するためのポートを含み、前記壁ソケットと前記サウンド分配器の１つは、４つのツイストペアを接続することを提供し、１つは前記インターコムのスピーカーラインを前記セレクター／エンコーダーに接続し、もう１つは直接および前記サウンド分配器の１つを介してマイクロホンラインを前記インターコムに接続し、第三のツイストペアは前記サウンド分配システムの制御および操作を前記インターコムと一体化するために前記インターコムのシリアル信号ラインを前記ポートと相互接続するためのものであり、
インターコムモードに切り替えるコマンド、前記インターコムスピーカー信号のモノラルサウンドを符号化するコマンド、前記マイクロホンと前記インターコムとのオープンボイス通信を可能とするコマンドを含んだ、前記セレクター／エンコーダーと前記サウンド分配器と前記復号部と前記インターコムに供給されたコマンドによって、前記インターコムスピーカー信号は前記セレクター／エンコーダーに伝播され、前記マイクロホン信号は前記インターコムに伝播され、前記シリアル信号は前記セレクター／エンコーダーと前記サウンド分配器の前記少なくとも１つと前記インターコムの間で交換され、前記コマンドは、前記セレクター／エンコーダーの前記タッチキーと前記インターコムのキーの１つかまたは前記遠隔制御部を介して生成される、請求項９によるサウンド分配システムを組み合わせるための装置。
【請求項１１】
前記ＡおよびＢスピーカーの少なくとも１つは、前記ＡおよびＢスピーカーを接続している前記ケーブルを介しておよび前記セレクター／エンコーダーと前記サウンド分配器を接続している前記ケーブルを介して、遠隔制御信号を含んだ前記シリアル信号を交換するための少なくとも１つの遠隔制御受信機と少なくとも１つの遠隔制御送信機を含み、前記セレクター／エンコーダーと前記サウンド分配器の各々は、前記サウンド分配システムをホームオートメーションシステムと一体化するために、ホームオートメーション分配器の前記シリアルポートを通して前記遠隔制御信号を含んだ前記シリアル信号を交換するための、前記ホームオートメーション分配器のシリアルポートへの接続のための、ポートを含み、
前記セレクター／エンコーダー、前記サウンド分配器、前記遠隔制御部、前記Ａスピーカー、前記Ｂスピーカー、前記シリアルポート、ホームオートメーションシステムに含まれた遠隔制御ドライバーおよびそれらの組み合わせからなるグループから選択された媒体を通して、前記ホームオートメーション分配器と前記サウンド分配器と前記セレクター／エンコーダーの間で前記シリアル信号を交換することによって、ホームオートメーションと一体化されたサウンドが操作される、
請求項７によるサウンド分配システムを組み合わせるための装置。
【請求項１２】
前記セレクター／エンコーダーと前記サウンド分配器と前記Ａスピーカーは、前記符号化されたステレオ信号を第一のツイストペアを介して、ＤＣパワーリンクを第二のツイストペアを介して伝播し、前記シリアル信号はカスケードしている装備を施されたネットワークケーブルの第三のツイストペアを介して交換され、前記セレクター／エンコーダーと前記サウンド分配器と前記Ａスピーカーと前記Ｂスピーカーは、前記装備を施されたネットワークケーブルのためのマッチしたコネクターを含み、前記Ｂスピーカーはまた、前記装備を施されたネットワークケーブルを介して前記Ａスピーカーに接続する、請求項７によるサウンド分配システムを組み合わせるための装置。
【発明の詳細な説明】
【技術分野】
【０００１】
この発明は、ホームオートメーションで使われる音楽プレーヤー、オーディオアンプおよびスピーカーと、インターコムまたはビデオインターホンシステムに関する。
【背景技術】
【０００２】
ホームオートメーション、ホームシアターおよび同様のアプリケーションとの関係で使われるオーディオおよびステレオアンプおよびプリアンプは、実際には消費者によって使われ操作される一般的で周知のオーディオ機器である。ラックを搭載したエンクロージャー中に構築されており、集中化されたパネルからオーディオ機器を操作するための追加の制御ラインまたはバスラインコネクターが設けられているというように、差異はそれらの構造にある。
【０００３】
そのようなオーディオシステムは、システムラック、スピーカーおよび一連のオーディオプレーヤーの間で異なるワイヤおよびシールドオーディオケーブルによって相互接続されている。これは、オーディオまたはビデオディスクの便利な取り扱いのために、ユーザオプションにおいて、リビングまたはダイニングルーム等に位置するかまたは置かれたＣＤ、ＤＶＤ、ブルーレイおよび／またはiPod cradleのようなユーザに操作されたプレーヤーからはるばる来る、長く引き延ばされたオーディオケーブルを要求する。テレビオーディオ出力信号を含んだ全てのステレオ信号は、ケーブル端においてプラグを装備したオーディオシールドケーブルを要求する。そのようなオーディオケーブルのための導管は、住宅の設計中および建築中に建物建築士によっては設けられない。
【０００４】
多くのそのようなオーディオケーブルとヘビーゲージのスピーカーケーブルと制御ワイヤは、建物が完成された時にオーディオシステムを接続するために配置されていなければならず、複数のケーブルおよびワイヤは、建てられた壁に沿って引き延ばされなければならず、それは内装を台無しにする。しかも、そのような接続は費用がかかり、専門家によって取り扱われなければならない。
【０００５】
更には、そのようなオーディオシステムは、入口パネルとの２ウェイ通信を有するインターコムまたはビデオインターホンとオーディオシステムを一体化するための接続および制御も、あるいは建物または家のドアの遠隔的開錠も、あるいは建物または家のビデオインターコムまたはインターコムシステムに接続された守衛、仮想門番、管理人および仮想ｅ管理人との通信も、提供しない。
【０００６】
そのようなインターコムまたはビデオインターコムシステムは、一般的には電気システムと共に設置され、建物中のネットワーク化または電話のために使われるＣＡＴ５ケーブルのペアまたは複数のペアのような、ツイストペアまたは複数のペアを介して接続される。そのようなケーブルは、ステレオオーディオ信号をオーディオプリアンプまたはアンプの入力コネクター中に接続するのに使われることはできない。一方、そのようなＣＡＴ５ケーブルは、シールドオーディオケーブルを配線することのコストよりもはるかに低いコストで、電気契約業者によって、建物および家の導管のために一般的に設計されその中に設置される。
【０００７】
ニューヨークのような大都市では、消防局はアパートメントビルのインターコムシステムを火災警報器と一体化することと、火災の際には選択されたかまたは全てのアパートメントに音声メッセージまたはコマンドの送信を提供することを意図している。そのようなインターコムとのインターフェース化および一体化は、現行のインターコムおよびビデオインターコムシステムの多くでは容易に利用可能ではなく、そのいくつかはオーディオアンプまたはプリアンプに直接接続されることができないデジタルオーディオ信号を伝播する。
【０００８】
更には、ホームオートメーションのためのオーディオシステムは、ハンドフリー電話で使われているような、周知の「ハンドフリー」オーディオ信号を処理するためのマイクロホンを組み込んでおらず、一方でそのような２ウェイハンドフリー通信は、寝たきりの人、老人および病人が緊急事態のために電話して医者と通信するために非常に有用であり、人口の高齢化のために益々必要とされているサービスである。
【発明の概要】
【発明が解決しようとする課題】
【０００９】
本発明の目的は、ネットワーク化または電話のために使われる通信ワイヤと同様の、ツイストペアワイヤを使ってのような、簡単な配線方法を介して、オーディオシステムコンポーネンツをホームオートメーションシステムおよび／またはインターコムまたはビデオインターコムと相互接続するための方法と装置を提供することである。
【００１０】
以下の記載におけるインターコムという用語は、インターコムおよび／またはビデオインターコム、および／またはインターホン、および／またはビデオインターホン、および／またはショッピング端末、およびそれらの組み合わせからなり、据え置きセットアップかまたはシステム中で、および／またはテナントと建物の１つ以上の入口パネルの間、および／またはテナントと建物の管理人ステーション、守衛ステーションおよび管理ステーションのような１つ以上のローカルステーションの間、および／またはテナントとネットワークを介した消防ステーション、警報監視ステーション、医療ステーション、ｅ−管理人ステーション、ｅ−サービスステー−ション、ｅ−守衛または仮想守衛ステーションおよびｅ−ショッピングステーションの間、および／またはローカルステーションとｅ−ステーションの間、の２ウェイオーディオ通信を有するより大きなシステムの一部として、動作する。
【００１１】
以下の記載におけるテナントは、自分の住宅内、および／または商業施設内、および／または倉庫内、および／または工場内、および／またはその他の建物内、および／または家屋内、およびそれらの組み合わせ、の人であることができる。
【００１２】
以下の記載では、建物は、単一の家屋および／またはマルチアパートメントビル、および／または倉庫、および／または商業施設、および／または工場ビル、および／またはその他の構造化された建物、およびそれらの組み合わせを指す。アパートメントは、建物の住居ユニット、またはオフィスユニット、または工場ユニット、または店舗およびその他のユニットのような、建物内のユニットを指す。
【００１３】
以下の記載における左スピーカーおよび右スピーカーという用語は、図面中の描写されたスピーカーの向きに倣って、便利さのためだけに使われる。左スピーカーまたは右スピーカーが開示され、および／またはその構造が詳述された時はいつでも、図面の左右の向きは、明細書および請求項において描写的に過ぎず、場合によっては、左右の用語は反転可能であり、そこでは左は右と読まれることができ、右は左と読まれることができる。
【００１４】
ビデオインターホンシステムは、米国特許5,923,363、6,603,842および6,940,957に開示されている。ショッピング端末は、米国特許7,461,012および継続出願番号12/275,452に開示されている。
【００１５】
ホームオートメーションシステムの機器を制御するおよび／または操作するための方法と装置は、米国特許7,290,702、出版された出願11/509,315、および特許出願11/874,309、11/939,785、11/949,853および12/236,656に開示されている。
【００１６】
本発明のオーディオシステムは、再生デバイスまたは複数のデバイスと共にかまたは近くに、リビングまたはダイニングルーム中またはテナントによって選択されたその他の場所中での設置のためのセレクター／エンコーダー部を含む。以下の記載における「音楽ソースまたは複数のソース」という用語は、セレクター／エンコーダー部の入力コネクターに接続するための、ラジオ、テレビ、セットトップボックス、ケーブルボックス、衛星ボックス、およびプラグをもった標準的ケーブルアッセンブリーを介してアナログまたはデジタルのオーディオ信号を出力するための出力ステレオコネクターを有するその他の機器を含んだ、ＣＤ，ＤＶＤ，ブルーレイ、ｉＰｏｄ、ｉＰｏｄ ｃｒａｄｌｅ、ＭＰ３のような1つ以上の再生デバイスを指す。
【００１７】
セレクター／エンコーダー部は、選択コマンドを受信するため、セレクター入力のいずれかをエンコーダー回路に接続するため、および壁および／または天井に載置されたスピーカーペアに信号を分配するためおよび／またはテナントによって望まれた通りにアパートメント中に置かれた自立式スピーカーを接続するためのオーディオ分配器に符号化されたステレオ信号を出力して伝播するために、遠隔制御ＩＲおよび／または無線受信機を含む。
【００１８】
オーディオ分配器は、ステレオ信号を復号するためのデコーダーと、復号されて増幅されたステレオ信号を建物またはアパートメントの1つ以上の部屋中のステレオスピーカーに出力するためのアンプまたは複数のアンプを含んでいても良い。
【００１９】
本発明は、制御信号と多重化された符号化されたステレオ信号を、単一のツイストペアを介して、各々がデコーダーとパワーアンプを含んだ左右のスピーカーの１セットに、または１つのスピーカーのみに、例えば、デコーダーとステレオアンプと別のツイストペアを介して例の右スピーカーを接続するための端子を有する左スピーカーに、供給する。そのような配置は、スピーカーの少なくとも１つがデコーダー／アンプを含む時には、カスケードした拡張中に左右のスピーカーを接続することを可能とする。ツイストペアは、ネットワークまたは電話接続のために建物中で一般的に使われるＣＡＴ５ケーブルのワイヤの１ペアへの言及でもある。
【００２０】
同様に、符号化されたステレオ信号は、セレクター／エンコーダーをオーディオ分配器に接続している単一のツイストペアによってオーディオ分配器に伝播されることができ、それにより選択されたオーディオ信号をエンコーダーからツイストペアを介してアパートメント中の左右のスピーカーの各ペアまではるばると伝播することを提供する。
【００２１】
セレクター／エンコーダーはまた、シリアルコマンド信号によって操作され、ホームオートメーション分配器と、およびビデオインターホンモニターまたはインターコムコントローラと、通信できる。ビデオインターホンモニター、ショッピング端末およびホームオートメーション分配器は、上の参照特許および特許出願に開示されており、それらはここに引用によって組み込まれる。
【００２２】
周知のＲＳ４２２やＲＳ４８５、またはインターコムシステム、電気的に動作させられた機器、電気機器のコントローラ、キーパッドおよび遠隔制御デバイスおよびドライバーの間で伝播されたあらゆるその他のシリアル信号のようなシリアルコマンド信号は、ホームオートメーション分配器を通して交換され、オーディオ分配器とセレクター／エンコーダーの制御回路をホームオートメーションのシリアルコマンド回路に接続することによって、本発明のオーディオシステムは、ホームオートメーションおよび／またはインターコムシステムを通して動作し制御されるように一体化されることができることが明らかになる。
【００２３】
本発明の別の目的は、アパートメントと建物の入口パネルの間、および／またはアパートメントとローカルガードのようなローカルステーションの間、および／または警報、緊急事態および医療監視ステーションのようなｅ−ステーションとの、２ウェイオーディオ通信を組み込むことである。
【００２４】
この目的のために、本発明は、そこでは左右のスピーカーの少なくとも１つがマイクロホンを含むアパートメントの少なくとも１つの部屋またはゾーンからモノラルオーディオを伝播することを提供する。例えば、デコーダーとアンプからなる左スピーカーが更に、マイクロホンと、マイクロホン信号を符号化されたステレオ信号ラインに多重化し、符号化されたステレオ信号の伝播とは逆方向に、多重化されたマイクロホン信号をオーディオ分配器またはセレクター／エンコーダー部に伝播するための回路を含む。オーディオ分配器とセレクター／エンコーダーの両方は、マイクロホン信号を抽出して、抽出されたマイクロホン信号をインターコムシステムに供給するための回路を含む。
【００２５】
本発明によるシリアルコマンド信号はまた、処理されて、スピーカー、マイクロホン回路、オーディオ分配器、セレクター／エンコーダー部、ホームオートメーション分配器およびインターコムシステムの間のコマンドを含んだ２ウェイ多重化信号を伝播するためのステレオ符号化ラインに多重化される。
【００２６】
本発明は、多重化された２ウェイシリアルコマンドを符号化された信号ラインを介してセレクター／エンコーダー部に伝播することを提供するが、実際にはそして好ましい実施形態の記載で説明されるように、セレクター／エンコーダー部とオーディオ分配器の間のシリアルコマンドは、ＣＡＴ５ケーブルのような標準的ネットワークケーブルのツイストペアを介して別々に伝播される。ＣＡＴ５ケーブルは、４つのツイストペアワイヤをネットワークスイッチまたはＰＣに接続するための８ピンを有する周知のＲＪ４５コネクター、またはワイヤの２つのペアを電話に接続するための４ピンをもったＲＪ１１を装備して、一般的に入手可能である。ＲＪ４５またはＲＪ１１コネクター（８ピンまたは４ピン）をもった壁ソケットは一般的に入手可能であり、本発明のセレクター／エンコーダーはユーザによって便利な場所に置かれることが意図されているので、オーディオ分配器とケーブルのその他端において接続された標準的ＲＪ４５壁ソケットにセレクター／エンコーダーを接続するために両端においてプラグを装備した標準的ネットワークケーブルを使うのが簡単である。
【００２７】
上で説明したように、ホームオートメーションシステムとの接続を含んだオーディオシステムコンポーネンツの内部接続は、全体を通してツイストペアを介してなされ、下で更に説明されるように、同じツイストペアがオーディオシステムをインターコムシステムに接続するのに使われる。更には、ＣＡＴ５ケーブルとツイストペアは一般的に、電気設備設置業者による建物の電気設備設置と共にその間に設置されるので、本発明のオーディオシステムは、はるかに低いコストで電気技師によって便利に設置されることができることが明らかとなる。
【００２８】
一般的に採用されるインターコムシステムは、建物の入口パネルまたは複数のパネルと、または守衛ステーションのようなローカルステーションと通信するために、低インピーダンスラインおよび回路を介してハンドセットに、またはハンドフリーのマイクおよびスピーカーシステムに伝播される、アナログオーディオ信号を生成する。低インピーダンス（ラインおよび回路）の使用は、低インピーダンスベースの信号が、既知の５０Ｈｚまたは６０Ｈｚの「ハム」を含んだ、電気的ノイズおよびＡＣ電流ノイズに過敏ではないからである。一般的に設置されたインターコムおよびそれらの回路の低インピーダンスは従って、ＣＡＴ５ケーブルのツイストペアのようなツイストペアを介して接続されることができる。
【００２９】
これは、インターコムシステムを２つのツイストペアを介してオーディオ分配器と接続することを可能とし、１つのペアはインターコムシステムのスピーカー信号をオーディオ分配器を通してオーディオシステムスピーカーまで搬送するためのものであり、もう１つのペアはオーディオ分配器によって再処理されたマイクロホン信号を逆方向にインターコムシステムまで搬送するためのものであり、それによりインターコムシステムとホームオートメーションのオーディオシステムの間の２ウェイオーディオ通信のための相互接続を完成する。シリアルコマンド信号は、インターコムコントローラから、または好ましい実施形態のコントローラのビデオインターホンから、オーディオ分配器まで、ホームオートメーション分配器とオーディオ分配器の両方に接続された単一のツイストペアを介して、供給されることができる。
【００３０】
ここに引用によって組み込まれた上で参照したビデオインターホン、ショッピング端末およびホームオートメーションの特許および出願に開示されているように、ビデオインターホンモニターは、テナントのＰＣと通信するために、ツイストペアを介して、オーディオ、ビデオ、制御、データ、コードおよび警報信号から選択された多重化された信号、組み合わせを、ホームオートメーション分配器と関連付けられたＵＳＢ変換器のようなシリアル変換器に供給している。この配置により、ビデオインターホンは、合計で標準的ＣＡＴ５ケーブルの４つのツイストペア、２つのペアはマイクロホンおよびスピーカー信号を接続するためのもの、１つのペアはシリアルコマンド信号のためのもの、１つのペアは多重化された信号、組み合わせのためのもの、によってホームオートメーションシステムとオーディオシステムの両方に接続されている。
【００３１】
少しのツイストペアワイヤを介したビデオインターホンまたはビデオインターコムと本発明のホームオートメーションおよびオーディオシステムの間の相互接続は簡単であるが、また相互接続は非極性であり反転されることができるが、２つの分配器を相互接続してシステム内でＣＡＴ５ケーブルカラーコードのワイヤを追従する必要は改善することができる。従って、ＲＪ４５のような周知の標準的コネクターをシステム全体を通して使うことが好ましくても良い。このために、本発明は、全てＣＡＴ５のような標準的ケーブルとＲＪ４５のような標準的コネクターを介して接続されたスピーカーを含んだ、組み合わされたオーディオとホームオートメーション分配器を提供する。
【００３２】
ここに引用により組み込まれた出版された特許出願11/509,315に更に開示されているように、ラジオおよび／またはテレビの遠隔制御デバイスを含んだ、ＣＤまたはＤＶＤプレーヤー、ｉＰｏｄのようなオーディオ再生デバイスのＩＲまたは無線遠隔制御の各々によって生成された遠隔制御コマンドは、ビデオインターホンまたはショッピング端末のメモリー中に記録されて、アパートメントの異なる部屋またはゾーンに設置されたＩＲおよび／または無線リピーターまたはデバイスを通してオーディオ再生デバイスの遠隔制御のためのコマンドソースとして使われる。
【００３３】
セレクター／エンコーダーは更に、個別のシリアルコマンドコネクターを介して各オーディオ再生デバイスのための個別の有線遠隔制御を提供している。セレクター／エンコーダー１００に接続されているオーディオ再生デバイス、ラジオおよび／またはテレビの各々を制御するこの能力は別の利点であり、本発明の一体化されたオーディオおよびホームオートメーションシステムの相互接続、設定、制御および操作の簡単さを強化する。
【００３４】
更には、本発明のスピーカーは、ＩＲコマンドをホームオートメーション分配器またはオーディオ分配器のどちらか一方か両方に伝播するために、受信したＩＲコマンドをステレオ符号化ラインに注入するための１つ以上のＩＲ受信機と処理回路を含む。これにより、本発明の好ましい実施形態のスピーカーは、ＩＲコマンドのための追加の受信中継ステーションを提供し、よってホームオートメーションシステムのための改善されたＩＲコマンド受信環境を作り出す。同様に、本発明のスピーカーは、ホームオートメーションシステムのＩＲコマンドの追加の分配と改善された伝播を提供する１つ以上のＩＲ送信機を含む。
【００３５】
しかも、スピーカーのＩＲ受信機および／またはＩＲ送信機を介したホームオートメーションＩＲ遠隔制御ネットワークの拡張は、もし仮にそれがホームオートメーションシリアルコマンドラインに配線されていなくても、本発明のセレクター／エンコーダーにＩＲ遠隔制御コマンドを伝播することを可能とする。これは、セレクター／エンコーダーが、ホームオートメーションシステムのＩＲドライバーを介してコマンドを受信するからである。ＩＲコマンドの伝播は、好ましい実施形態の記載において更に説明される。
【００３６】
本発明のスピーカーボックスは、制御回路、マイクロホン回路、デコーダー回路およびオーディオパワーアンプを含んでいても良いので、スピーカーボックス中の回路はそれに応じてパワーを与えられなければならない。
【００３７】
上のビデオインターホン米国特許5,923,363および参照された特許および出願に開示されているように、パワーは、固定された一定の制御された電流で多重化信号ラインを介して供給されることができ、電流ドレインの一部が、ビデオインターホンまたはショッピング端末と関連付けられた充電可能なバッテリーを充電することに割り当てられる。参照された特許はまた、別のパワーラインを介してビデオインターホンとショッピング端末にパワーを与えることを開示している。
【００３８】
同様のパワーを与える方法が本発明に組み込まれており、１つはより低いオーディオパワー出力でスピーカーを動作させるための制御され制限された電流を印加することである。第二は、より高いピークパワーオーディオ出力を可能とするように充電されたバッテリーを使うために、より低いオーディオパワー出力を動作させるための制御された電流に加えてスピーカーボックスと関連付けられた充電可能なバッテリーを充電するための充電電流を印加することである。第三は、ＤＣパワーを直接スピーカーボックスに接続すること、例えば、ホームオートメーション制御システムにパワーを与えるのにも使われている外部パワーサプライを使って、オーディオ分配器におよびセレクター／エンコーダーに供給されたパワーとの組み合わせで、ＤＣパワーラインを介してスピーカーボックスにパワーを与えること、である。
【００３９】
左右の２つのスピーカーの１つのペアにパワーを与えることを含んだ単一のツイストペアによって本発明のスピーカーを接続するための方法と装置は、２つのワイヤが逆の極性で接続されることができる、非極性接続を提供することのような、エラー無しの簡略化された相互接続を特徴とする。エラー無しの反転された極性は、別のツイストペアラインと、パワーフィード有りまたは無しの符号化ステレオラインおよび／または多重化信号ラインと、を介したパワーフィードをカバーする。オーディオシステムにパワーを与えるためのパワーラインの詳細な簡略化された接続は、好ましい実施形態の記載の詳細において更に説明される。
【００４０】
ＤＶＤ、ｉＰｏｄまたはラジオのような伝播されたステレオ信号のソースは、周知のアナログまたはデジタルセレクターを通して選択され、セレクターから、異なるＩＣパッケージで入手可能であるが離散したコンポーネンツを使って周知のステレオエンコーダー回路に組み立てられることができる周知のステレオエンコーダーに、供給される。ステレオエンコーダーは、ＦＭラジオ局によってステレオ信号の送信のために使われるのと同じパイロット信号である１９ＫＨｚパイロット信号をもった符号化されたステレオ信号を生成して出力するために、３８ＫＨｚ以上の周波数のようなクロックを供給される。符号化されたステレオＬ−Ｒ信号は、ステレオデコーダーおよびアンプを直接かまたはオーディオ分配器を介して組み込んでいるスピーカーに符号化されたステレオ信号をツイストペアを介して供給するための、周知の差動ドライバーアンプに供給される。
【００４１】
デジタルおよび／または圧縮されたオーディオ信号を伝播するために、組み合わされた左右の信号は、左および右チャネルの間にゼロ時間遅延を提供するようにプログラムされてタイミングが図られる。デジタル信号伝播のためには、多くの周知のデジタル化、コード化および圧縮の回路およびプログラムがあり、そのいずれもがアナログステレオ信号伝播のために使われたステレオエンコーダーおよびミキサーを置き換えることができる。しかも、下で更に説明されるように、デジタル信号伝播では、必要な総コンポーネンツとコストを低減するように、ＩＣパッケージで広く入手可能なものと同じＤＳＰ（デジタル信号プロセッサ）、ＣＰＵまたはその他のデジタルデバイスを通して制御信号を組み合わせることが可能である。
【００４２】
ホームオートメーションの参照された特許出願は、システムのインストーラー、即ち電気技師および／またはユーザ自身でさえ、によりアドレスを設定するための簡単なアドレス指定方法および装置を開示している。同様に、スピーカーの各ペアのためのアドレスは、そこにスピーカーが設置されている割り当てられた部屋またはゾーンに対応していなければならない。これは、照明、空調設備、および異なるオーディオおよびビデオ機器に適用されるのと同じアドレス指定であり、参照されたホームオートメーション特許出願に開示されているように、全ては少なくとも１つのロータリースイッチを介して設定される。
【００４３】
本発明は、各符号化ステレオ出力ラインに、または各増幅されたステレオ出力ラインにおよびエンコーダーを組み込んだ各スピーカーに、アドレスを設定するための、オーディオ分配器に組み込まれたｎ個のロータリーまたはＤＩＰスイッチを提供する。ロータリーまたはＤＩＰスイッチは、オーディオ分配器のパネルとスピーカーカバーを通してアクセス可能であり、一般的なスクリュードライバーを使って、１からｎ（ルームアドレス）までの数字に設定されることができる。これは、特にインストーラーがＩＴ専門家ではないかまたはユーザがプログラミングに全く慣れていない時にはエラーを起こしがちな、複雑なプログラミングおよびプロセスを使うことによってアドレスをコード化する必要を排除する。
【００４４】
オーディオ分配器は、アパートメント中のｎ個のスピーカーに供給するためのｎ個の周知の差動バッファーアンプを含む。組み合わされ変調されたステレオ信号を搬送している同じツイストペアを介してスピーカー回路がパワーを供給された時、差動バッファーアンプは、米国特許5,923,363に開示されているＤＣおよび信号の挿入器または注入器／分離器または分離器のようなＤＣフィード回路を含むか、またはそれに接続されている。パワー調整器に繋がっているスピーカー内部のパワーラインは、パワーが、符号化または多重化信号ラインを通してか、またはＤＣパワーのみを搬送する別のツイストペアを介して、スピーカー回路に供給されたかどうかに関わらず、非極性ＤＣパワー接続を可能とするブリッジ調整器を含む。
【００４５】
本発明は更に、音量、トーンコントロールおよびバランスコントロールを操作するために、および／またはサウンドのオン／オフを切り替えるために、スピーカーに直接遠隔制御コマンドを供給するためのスピーカー内部のＩＲ遠隔制御回路を組み込むことを提供する。受信されたＩＲコマンドは、音量、トーン、バランスおよびオン／オフコマンドがセレクター／エンコーダー部によって制御された時に、オーディオ分配器におよび／またはセレクター／エンコーダーに符号化信号ラインを介して伝播し戻されることができる。更には、ＩＲ遠隔制御は、医療または緊急事態の助けを要請するために、またはインターコムパネルを通した訪問者による呼び出しに応答して、ハンドフリー回路を起動するのに使われることができ、あるいは守衛によっておよび／または警報メッセージによって、それはハンドフリー回路を閉じることができ、それによりインターコム通信をオフに切り替える、および／または訪問者が建物に入ることを可能とするように電気的ドアロックを開錠する。
【００４６】
本発明の２ウェイハンドフリー通信は、更に別の実質的な利点を供する。例えば、警報システムを介して自動的に、または訪問者または管理人の呼び出しを介して、インターコムシステムとの通信が起動された時、左チャネルスピーカーは、左スピーカーの例に含まれているマイクロホンへの音響的フィードバックを排除するために、自動的にミュートされる。モノラルの入って来るスピーカーサウンドは、この例では、一般的に左スピーカーから離された所に載置される右スピーカーに供給され、それによりハンドフリー２ウェイ通信のためにはるかに良好な音響的状態環境を提供する。
【００４７】
これも、テナントがマイクロホンに話している間は右側スピーカーもミュートするように遠隔制御キーを操作することによって更に改善され、それにより、ユーザの制御において乱されていない２ウェイハンドフリー通信を提供する。
本発明の前述およびその他の目的および特徴は、同伴する図面を参照して発明の好ましい実施形態の以下の記載から明らかとなるであろう。
【図面の簡単な説明】
【００４８】
【図１Ａ】図１Ａは、本発明のホームオートメーションシステムの符号化されたステレオ信号を伝播するための基本的セットアップおよび相互接続のブロック図である。
【図１Ｂ】図１Ｂは、好ましい実施形態のビデオインターホンまたはインターコムシステムとの相互接続を含むための図１Ａの拡張されたブロック図である。
【図１Ｃ】図１Ｃは、好ましい実施形態のホームオートメーション分配器との相互接続を含んだ、図１に示されたシステムの別の拡張されたセットアップのブロック図である。
【図１Ｄ】図１Ｄは、本発明の符号化されたステレオ信号を伝播するためのマルチスピーカーチャネルセットアップ、オーディオ分配器および相互接続をもったシステムのブロック図である。
【図１Ｅ】図１Ｅは、好ましい実施形態のビデオインターホンまたはインターコムシステムとの相互接続を含むための図１Ｄの拡張されたブロック図である。
【図１Ｆ】図１Ｆは、ホームオートメーションシステムとの相互接続を含むための図１Ｅの好ましい実施形態の更に拡張されたブロック図である。
【図２】図２は、好ましい実施形態のセレクター／エンコーダーの詳細を含んだ、図１Ｆに示されたシステム相互接続の詳細なブロック図である。
【図３】図３は、本発明の組み合わされた分配器を含み、全体を通して標準的コネクターとＣＡＴ５ケーブルを使った、図２に示されたシステム相互接続のブロック図である。
【図４Ａ】図４Ａは、好ましい実施形態のピークハイパワーサウンドを出力するための、マイクロホン、アンプおよび充電可能なバッテリー回路を含んだ、信号ラインを介してパワーを与えられた左側スピーカーのブロック図である。
【図４Ｂ】図４Ｂは、本発明で使われる右側スピーカーのブロック図である。
【図５Ａ】図５Ａは、制限されたサウンド出力パワーをもった充電可能なバッテリー無しの図４Ａに示されたスピーカーのブロック図である。
【図５Ｂ】図５Ｂは、ハイサウンド出力パワーをもつ別のパワーラインを介してパワーを与えられた好ましい実施形態のマイクロホンをもった左側スピーカーの別のブロック図である。
【図６Ａ】図６Ａは、左右のスピーカーを相互接続するための標準的コネクターを含んだ左側スピーカーの別のブロック図である。
【図６Ｂ】図６Ｂは、右スピーカーを図６Ａに示された左スピーカーと相互接続するためのＩＲ受信機とＩＲ送信機と標準的コネクターを含んだ右側スピーカーのブロック図である。
【図７】図７は、ホームオートメーションのオーディオシステムをインターコムシステムと相互接続するための本発明の好ましい実施形態のセレクター／エンコーダーのブロック図である。
【図８】図８は、符号化された信号の伝播とは逆方向の符号化信号ラインを通して供給された低電流ドレインによってパワーを与えられた、本発明のセレクター／エンコーダーの変形されたブロック図である。
【図９】図９は、セレクター／エンコーダーからスピーカーに符号化信号ラインを通して供給されたパワーを示す図６の更に別の変形されたブロック図である。
【図１０】図１０は、符号化信号ラインを介したスピーカーへのパワーフィードをもち、インターコムシステムのための相互接続回路をもった、本発明の好ましい実施形態のオーディオ分配器のブロック図である。
【図１１】図１１は、別のパワーラインを介したスピーカーへのパワーフィードをもった、図１０のオーディオ分配器の変形されたブロック図である。
【図１２】図１２は、ステレオ符号化ラインを介したスピーカーへのパワーフィードを含んだ符号化されたステレオ信号を分配するための好ましい実施形態の基本的オーディオ分配器のブロック図である。
【図１３】図１３は、別のパワーラインを介したパワーフィードをもった、図５Ｂのスピーカーに符号化されたステレオ信号を分配するための、図１２のオーディオ分配器の変形されたブロック図である。
【図１４】図１４は、図４Ｂに示されたような個別の増幅されたスピーカー信号をスピーカーに供給するためのパワーアンプを含んだ、本発明のオーディオ分配器のブロック図である。
【図１５】図１５は、ビデオインターホンモニター、オーディオコンポーネンツおよびホームオートメーションコンポーネンツを接続するための標準的コネクターを含んだ本発明の組み合わされたオーディオおよびホームオートメーション分配器のブロック図である。
【発明を実施するための形態】
【００４９】
図１Ａは、本発明のオーディオシステムの基本的相互接続およびセットアップを示し、そこではｉＰｏｄ、ＭＰ３、ＤＶＤ，ＣＤおよび／またはブルーレイプレーヤ−および／またはラジオおよび／またはテレビセットのような再生オーディオデバイス（図示せず）が、セレクター／エンコーダー１００の入力コネクターに接続されている。セレクター／エンコーダー１００は更に、セレクター／エンコーダー１００にパワーを与えるため、および左スピーカーアッセンブリー９０にケーブル６とツイストペア６Ａを介してパワーを供給するための、パワーサプライ５６に接続されている。後に説明されるように、セレクター／エンコーダー１００は、符号化されたステレオ信号を単一のツイストペアを介してスピーカーアッセンブリー９０に供給するために、再生オーディオデバイス、ラジオまたはテレビのいずれかから供給された選択されたステレオ信号を符号化する。
【００５０】
ケーブルアッセンブリー６は、４つのツイストペアワイヤからなる、ＣＡＴ５ケーブルのような周知の標準的ネットワークケーブルであり、それはリールでかまたはそうでなければ異なる長さで一般的に入手可能であり、ケーブル端においてＲＪ４５コネクター２１を装備しているかまたは装備していない。
【００５１】
セレクター／エンコーダー１００は、異なるＰＣをネットワークハブまたはスイッチに接続する周知のネットワークケーブルのような、装備を施されたケーブルアッセンブリー６の一端を接続するための、図２に示された、マッチしたＲＪ４５ソケットを含む。ケーブルアッセンブリー６の他端は、標準的なＲＪ４５ソケット２１を組み込んだ周知の標準的な壁ソケット９に差し込まれる。
【００５２】
壁ソケットと装備を施されたケーブル６の使用は、ユーザの好む場所および／または再生オーディオデバイス、ラジオまたはテレビの隣りおよび／または近くにおけるセレクター／エンコーダー１００の配置を可能とする。壁ソケット９のソケット２１は、左スピーカーアッセンブリー９０にツイストペア６Ａを介して接続されている。示されたツイストペア６Ａは、一般的に電気設備設置業者によって設置されるＣＡＴ５ケーブルの単一のペアであることができ、導管、プレナムおよび／または建物の建築中に壁の内側を通してかまたは建物が完成した時に壁に沿って供給されることができる。図１Ａに示された左スピーカーアッセンブリー９０は、パワーサプライ５６によってケーブル６およびツイストペア６Ａを通しておよびセレクター／エンコーダー１００を通して供給されたＤＣパワーによってパワーを与えられる。パワーフィードの詳細は後に説明される。左スピーカーアッセンブリー９０は、符号化されたステレオ信号を復号するためのデコーダーと、その左チャネル出力信号を直接スピーカーアッセンブリー９０の左スピーカーに供給するステレオパワーアンプを含む。右スピーカーアッセンブリー９９は、ＣＡＴ５ケーブルのツイストペアのようなツイストペアを介しておよび両スピーカーアッセンブリー９０および９９に設けられた端子を介して、ステレオアンプの右チャネル出力信号に接続される。
【００５３】
これにより、図１Ａに示されたオーディオシステムは、パワーサプライ５６において始まり右スピーカーアッセンブリー９９において終わり、全てのシステムエレメントをカスケードチェインに接続している、カスケードした単一のツイストペアを介した全てのパワーフィードを含んで、オーディオステレオ再生デバイスまたはステレオ信号のその他のソースによって生成されたステレオ信号をスピーカーのペアに供給している。
【００５４】
説明と請求項を簡略化するために、説明は各カスケードした相互接続をセグメントとして言及しないが、「第一のセグメント」という用語は、言及されたセレクター／エンコーダーと左スピーカーの間、または言及されたセレクター／エンコーダーと言及されたオーディオ分配器の間の、カスケードした相互接続をカバーする。
【００５５】
「次のセグメント」という用語は、言及されたオーディオ分配器と左スピーカーの間のカスケードした相互接続をカバーする。
【００５６】
「後続のセグメント」という用語は、左スピーカーと右スピーカーの間の相互接続をカバーする。
【００５７】
「最後のセグメント」という用語は、図１４の分配器６４と図４Ｂのスピーカー９９の間の相互接続をカバーする。
【００５８】
例えば第一のセグメントの交差している１つ以上の壁ソケットへの／からの相互接続のようなセグメント内の相互接続は、「セクション」と呼ばれる。
【００５９】
オーディオシステムは、図２のセレクター／エンコーダー１００のフロントパネル１０に示されたフロントパネルキー１１、１２および１３を介してか、またはＩＲ遠隔制御４８を介して、操作される。ＩＲの代りに、周知のＲＦ遠隔制御またはあらゆるその他の遠隔制御４８が使われることができる。好ましい実施形態の記載は繰り返しＩＲ遠隔制御に触れるが、ＲＦ、超音波またはその他のようなあらゆる周知の有線または無線遠隔制御が使われることができる。上の説明から、図１Ａに示されたような本発明のオーディオシステムのコンポーネンツまたはエレメンツは、単一のツイストペアによって相互接続されることと、オーディオシステムは、ＩＲまたはＲＦ遠隔制御デバイスを介して遠隔的に、および／またはセレクター／エンコーダー１００の選択および操作キーを通して直接、操作されることができることが、明らかになる。
【００６０】
図１Ｂは、オーディオシステムをビデオインターホンまたはインターコムモニター５０のインターコム回路と一体化するために、スピーカー９０に含まれたインターコムスピーカーの追加された信号ライン６Ｃとマイクロホンの６Ｂをもった、図１Ａに示されたのと同じ相互接続を示す。図１Ｂのオーディオシステムの左スピーカー９０は、マイクロホン７０と、マイクロホン信号を符号化信号ライン６Ａを介してセレクター／エンコーダー１００に伝播するために符号化信号ラインにマイクロホン信号を多重化する回路を含む。セレクター／エンコーダー１００は、マイクロホン信号を抽出するため、およびセレクター／エンコーダー１００を壁ソケット９に接続しているケーブルアッセンブリー６のツイストペア６Ｂを通して抽出されたマイクロホン信号を供給するための、デコーダーまたは抽出器を含む。ビデオインターホンまたはインターコムを接続している、ＣＡＴ５ケーブルのペアのような拡張ツイストペア６Ｂは、壁ソケット９からビデオインターホンまたはインターコム５０のマイクロホン端子にマイクロホン信号を供給する。
【００６１】
ビデオインターコムモニター５０のインターコム回路からのスピーカー信号は、ツイストペア６Ｃを介して壁ソケット９に、およびケーブルアッセンブリー６の別のツイストペア６Ｃを介してセレクター／エンコーダー１００に、供給される。シリアルコマンド信号は、それもまた壁ソケット９を介して相互接続されているツイストペアライン６Ｄを通して、セレクター／エンコーダー１００とビデオインターホン５０の間で交換される。図１Ｂの相互接続は、２ウェイインターコム通信と制御が、スピーカー９０または９９とマイクロホン７０の少なくとも１つを含んだオーディオシステムと一体化されていること、および一体化されたインターコムシステムが、セレクター／エンコーダー１００のキーによってかまたは遠隔制御４８によって操作されることができること、を示す。
【００６２】
図１Ｃは、マイクロホンおよびスピーカー信号は無いが、壁ソケット９を通してホームオートメーション分配器５５とスピーカー９０とセレクター／エンコーダー１００の間の制御、コードおよび警報信号を含んだシリアルコマンドを交換するためのシリアルコマンド信号ライン６Ｄをもった、図１Ａに示されたものと同様の相互接続を有するホームオートメーションと一体化された図１Ａのオーディオシステムを示す。ホームオートメーション分配器は、コマンド、制御および警報信号を、壁ソケット９を通してシリアルコマンドライン６Ｄを介してセレクター／エンコーダー１００に、およびステレオ符号化ライン６Ａを介してスピーカー９０に、供給する。壁ソケット９を接続しておりシリアルコマンドをセレクター／エンコーダー１００に供給しているライン６Ｄは、ＲＪ４５コネクター２１を装備した標準的ＣＡＴ５ネットワークケーブル６のツイストペアである。
【００６３】
シリアルコマンドは、符号化されたステレオ信号を搬送しているツイストペア６Ａを介してセレクター／エンコーダー１００に伝播されることができるが、シリアルコマンド信号を別のツイストペア６Ｄを介してセレクター／エンコーダーに伝播する方がより簡単である。これは第一には、ホームオートメーション分配器５５がそれに供給された多重化された信号からシリアル信号を抽出するためのシリアルコマンド抽出回路を含むからであり、第二には、標準的ネットワークケーブル６が４つのツイストペアからなり、抽出されたシリアルコマンドをケーブルアッセンブリー６の利用可能な既存のツイストペア６Ｄを介して供給する方がより単純でコストがかからないからである。
【００６４】
ネットワークハブ、スイッチ、ルーターおよびＰＣと共に使われるような標準的ＲＪ４５コネクター２１を装備しているか、または装備していない、ケーブルアッセンブリー６は、本発明の好ましい実施形態のオーディオシステムの全てのバージョンとバリエーションについての接続ケーブルとなるように適応される。但し、ＲＪ４５コネクターとＣＡＴ５ケーブルがここで繰り返し開示されるが、あらゆるその他の標準的または非標準的なコネクターおよび／または端子および／またはケーブルが、開示されたＲＪ４５コネクター２１および／またはＣＡＴ５ケーブルおよび／またはケーブルアッセンブリー６を置き換えるのに使われることができる。
【００６５】
信号の多重化された組み合わせの交換は、参照されたビデオインターホンおよびショッピング端末特許および継続中の出願と、参照された特許出願11/939,785、11/509,315および上に開示されたその他の出版されていない出願に詳細に開示されており、それら全てはここに引用によって組み込まれる。図１Ｃの示された相互接続によって、本発明のオーディオシステムが、参照された特許に開示されたホームオートメーションシステムと一体化されることができ、ホームオートメーション制御を介して操作されることができ、しかもセレクター／エンコーダー１００のキーおよび／または遠隔制御４８が、ホームオートメーションシステムを操作するのに使われることができる、ことが明らかとなる。
【００６６】
図１Ｃに示されたスピーカー７０とセレクター／エンコーダー１００のためのパワーは、図１Ｃのホームオートメーション制御および伝播回路とオーディオシステムにパワーを与えるのにも使われるパワーサプライ５６によって供給される。パワーは、２つのやり方で供給されることができ、符号化ステレオライン６Ａを介してか、もしそのようなケーブルがスピーカーを壁ソケット９と接続するのに使われていれば、それはＣＡＴ５ケーブルの別のツイストペア６Ｇを介して図５Ｂのスピーカー９２に供給されることができる。同様に、セレクター／エンコーダー１００がインターコムスピーカーおよびマイクロホンラインに接続されていない時には、使われていないツイストペア６Ｂまたは６Ｃが、ＤＣパワーをセレクター／エンコーダー１００に搬送するのに使われることができ、パワーを搬送しているツイストペアは以下では６Ｇとして言及される。
【００６７】
図１Ｄは、本発明の好ましい実施形態のオーディオ分配器６０を含んだオーディオシステム相互接続の拡張されたセットアップを示し、そこでは左右のスピーカーのｎ個のペア９０−１〜９０−ｎおよび９９−１〜９９−ｎが設置されてアパートメントの多くの部屋またはゾーンで接続されることができ、スピーカーペアの各々は独立して制御され、オン／オフ切り替えされることができる。オーディオ分配器６０は、壁ソケット９を介しておよびＣＡＴ５ケーブル６の端部において装備されたＲＪ４５コネクター２１を介してセレクター／エンコーダー１００をオーディオ分配器６０と接続している、ＣＡＴ５ケーブル６のツイストペア６Ａを通して符号化されたステレオ信号を供給される。オーディオ分配器６０は、ｎ個のスピーカー９０−１〜９０−ｎへの／からの多重化された２ウェイシリアルコマンド信号を含んだバッファーされた符号化されたステレオ信号を伝播するために、図１２および１３に示されたｎ個の差動ライン受信機およびバッファー４２を含む。
【００６８】
図１Ｄに示されたＤＣパワーサプライ５６は、オーディオ分配器６０と、スピーカー９０−１〜９０−ｎと、セレクター／エンコーダー１００にパワーを与える。スピーカー９０−１〜９０−ｎにパワーを与えるために、ＤＣパワーは、バッファーされ多重化された信号端子１−１〜１−ｎを通して図１２に示されたＤＣ注入器または挿入器３５Ｂを介してオーディオ分配器６０によって供給されるか、またはそれはＣＡＴ５ケーブルの別のツイストペア６Ｇを介しておよび図１３に示されたオーディオ分配器６３の端子３−１〜３−ｎを介して、図５Ｂに示されたｎ個のスピーカー９２に供給されることができる。
【００６９】
図１Ｄの分配器６０は、符号化ライン６Ａを通してスピーカー９０−１〜９０−ｎとセレクター／エンコーダー１００の間で多重化された２ウェイシリアル信号を伝播し、セレクター／エンコーダー１００が、遠隔制御４８の使用を含んだ、図１Ｄに示された据え置き型システムのための制御センターとなることを提供する。
【００７０】
セレクター／エンコーダー１００へのパワーは、符号化ライン６Ａを介してかまたはそうでなければ使われていないツイストペアライン６Ｇを介して、オーディオ分配器６０から供給されることができ、あるいはそれは別のパワーサプライ５６によって図２に示されたパワーコネクター１７に直接供給されることができる。
【００７１】
右側スピーカー９９−１〜９９−ｎの各々は、図４Ａおよび４Ｂに示された端子４を介して左側スピーカー９０−１〜９０−ｎから伸びているＣＡＴ５ケーブルのペアのようなツイストペア６Ｆによって接続され、それにより、システム相互接続全体を通してカスケードしているツイストペアを使って図１Ｄに示された拡張されたオーディオシステムの相互接続を完成する。
【００７２】
図１Ｄに示されたシステムの動作および制御は、後に説明されるスピーカー９０および９９の各ペアのアドレス指定を除いて、図１Ａに示されたシステムについて上述されたのと同じである。
【００７３】
図１Ｅは、ビデオインターホンまたはビデオインターコムモニター５０のインターコム回路と一体化された、上に説明された図１Ｄに示されたシステムと同様の拡張されたオーディオシステム相互接続を示す。図１Ｅのインターコム相互接続は、上の図１Ｂに示されたシステムのために使われた相互接続と同様であり、スピーカー９０への信号とｎ個のスピーカー９０に含まれたマイクロホン７０から供給されたマイクロホン信号を伝播するために、ツイストペア６Ｃを介して分配器に供給されたインターコムスピーカー信号を含む。マイクロホン信号は、多重化されて、符号化ライン６Ａを介してスピーカー９０−１〜９０−ｎからオーディオ分配器６０まで逆方向に伝播される。オーディオ分配器６０は、選択されたマイクロホン信号を抽出して、ツイストペア６Ｂを介してインターコムシステムまで供給する回路を含み、それにより、インターコムとスピーカー９０および９９の選択されたチャネルとスピーカー９０に含まれたマイクロホン７０の間の２ウェイ相互接続と信号の伝播を完成する。
【００７４】
一体化されたオーディオおよびインターコムシステムを動作させて制御するためのシリアルコマンド信号は、多重化されて、スピーカー９０−１〜９０−ｎとオーディオ分配器６０の間の符号化信号ライン６Ａの上を、ビデオインターコムモニター５０とオーディオ分配器６０の間のシリアルコマンドライン６Ｄを介して伝播される。分配器６０とセレクター／エンコーダー１００の間のシリアルコマンドは、符号化され多重化されたライン６Ａを介してか、または上の図１Ｃに示されたシステム中で伝播されたようにシリアルコマンドライン６Ｄを介して、壁ソケット９を通して伝播されることができる。ビデオインターホンまたはインターコム５０は、オーディオ分配器６０およびホームオートメーション分配器５５と２ウェイシリアル信号を交換するためのシリアルコマンド端子を含むので、ビデオインターホンまたはインターコム５０とセレクター／エンコーダー１００の間でシリアルコマンドを交換するのにも、オーディオ分配器６０を介してであれおよび／またはホームオートメーション分配器を介してであれ、同じツイストペアライン６Ｄを使うことができる。
【００７５】
これにより、図１Ｅに示された本発明の拡張されたオーディオシステムが、オーディオシステムをインターコムシステムと一体化するのに必要とされる多重化されたマイクロホン信号とインターコムスピーカー信号を含んだ符号化されたステレオ信号を、システム全体を通してカスケードしているツイストペアを介して伝播することができ、ビデオインターホンまたはインターコム５０を介して、セレクター／エンコーダー１００と遠隔制御４８のキーによって操作されることができる、ことが明らかとなる。
【００７６】
図１Ｆは、図１Ｅに示された拡張されたオーディオシステムのホームオートメーション分配器５５を介したホームオートメーションシステムとの一体化を示す。図１Ｆに示された相互接続と図１Ｅに示されたものとの間の違いは、ホームオートメーション分配器５５の導入と、特にホームオートメーション分配器５５とツイストペア６Ｅを介して供給された多重化された信号を含むためのビデオインターホンまたはインターコム５０とオーディオ分配器６０の間のシリアルコマンドライン６Ｄの接続、に限定されている。
【００７７】
参照されたビデオインターホン、ショッピング機器およびホームオートメーション特許および出願は、図２に示された、ホームオートメーション分配器５５と関連付けられたＵＳＢ変換器８０にコネクター５８を介して多重化された信号を供給するために、ホームオートメーション分配器５５まで図１Ｆの単一のツイストペア６Ｅを介して、それらの組み合わせを含んだオーディオ、ビデオ、警報、制御、データおよびコマンド信号からなるグループから選択された多重化された信号の伝播を開示している。
【００７８】
図１Ｅと１Ｆの間の更にもう１つの違いは、パワーフィード相互接続である。図１Ｆに示されているのは、ホームオートメーション分配器５５を通したオーディオ分配器６０へのパワーフィードである。ホームオートメーションシステムとオーディオシステムとインターコムシステムは、同じパワーサプライによってパワーを与えられることができ、全体を通してＣＡＴ５ケーブルとツイストペアを使った単純な相互接続を介して一体化されることができることが、図１Ｆから明らかである。システム相互接続の更なる詳細は、図２に示されており、下の記載で説明される。
【００７９】
図２は、本発明の好ましい実施形態のオーディオシステムとビデオインターホンまたはビデオインターコムモニター５０のインターコム回路とホームオートメーション分配器５５を組み合わせている一体化されたシステムの相互接続を含んだ、図１Ｆに示されたシステムの詳細を示す。
【００８０】
図２のセレクター／エンコーダー１００は、フロントパネル１０とリアパネル１６を含み、フロントパネルは、音量増減キー、トーン高低キーおよびチャネル上下キーのような操作タッチ、プッシュまたはその他のキー１１からなる。示された操作キーは、早送り、巻き戻し、スキップ、停止、再生、ポーズ、プリセットおよびオーディオデバイスで使われるキーのあらゆるその他の機能またはタイプのような、多くのその他の機能のためのキーを提供するように拡張されることができる。フロントパネル１６のインターコムタッチキー１２は、訪問者または配達人が建物に入ることを可能とするために、インターコムとのハンドフリー通信を起動するためのオープンボイスキーとインターコムシステムと関連付けられた電気的ドアロック（図示せず）を開錠するためのドアオープンキーという２つのキーだけで表されている。インターコムのその他の機能または特徴を操作するためのその他のキーが、セレクター／エンコーダー１００に追加されることができる。
【００８１】
示された５つの選択タッチまたはプッシュキー１３は、プレーヤー、レコーダー、テレビセットトップボックスおよびその他のようなデバイスを含んだ、ｉＰｏｄ、ＭＰ３、ブルーレイ、ＣＤ、ＤＶＤ、テレビまたはラジオまたはセレクター／エンコーダー１００に音楽またはサウンド信号を供給するためのあらゆるその他のデバイスのような、ステレオ信号ソースを選択するためのものである。５つのキー１３のみが示されているが、あらゆる数の選択キーが、セレクター／エンコーダー１００に追加されることができる。パワーキー１３Ａは、セレクター／エンコーダーをオン／オフに切り替えるのに使われる。「キーまたは複数のキー」という用語は、以下では操作または選択キーのいずれかを指す。
【００８２】
示されたＩＲ受信機１４は、ＩＲ遠隔制御４８からのＩＲコマンドを受信するためのものである。図２はＩＲ遠隔制御受信機１４のみを示すが、ＲＦ、超音波および／または有線遠隔制御のようなあらゆるその他の遠隔制御受信機を代りに使うことができる。有線遠隔制御が使われた時には、そのような有線遠隔制御のためのコネクター（図示せず）は、セレクター／エンコーダー１００のフロントパネル１０、リアパネル１６またはその他の部分または表面中に含まれることができる。
【００８３】
リアパネル１６は、パワーコネクター１７と、５つのステレオ入力ジャック１８と、ステレオ出力ジャック１９と、それぞれのデバイスに制御およびコマンド信号を接続するための５つのコネクター２０と、セレクター／エンコーダー１００を壁ソケット９に接続するためのＲＪ４５コネクター２１を含む。選択キー１３に対応して、５つのステレオ入力ジャック１８のみが示されているが、ｎ個のステレオ入力とｎ個の選択キー１３を使うことができ、ｎ個のオーディオ再生、ラジオおよび／またはテレビデバイスの接続を可能とする。同じことは有線遠隔制御コネクター２０にも当てはまり、接続されたステレオ入力ソースのために必要とされる有線遠隔制御コネクターを提供するように、有線制御およびコマンド信号をテレビとラジオのような再生およびその他のデバイスに供給するためのｎ個のコネクターを組み込むことができる。但し、もし再生およびその他のステレオデバイスが有線遠隔制御信号で操作できなければ、それぞれのコネクターは使われないかまたは全く提供されないかのどちらかである。
【００８４】
ステレオ出力ジャック１９は、選択されたステレオ信号を本発明のオーディオシステムから独立して動作する別の周知のステレオアンプ（図示せず）に接続する。ここでも、ステレオ出力ジャックの１つのペアのみが示されているが、セレクターはｎ個の出力ステレオジャックを提供することができ、ステレオ出力の各々に異なる入力信号を選択して接続すること、またはステレオ出力のいくつかまたは全てに同時に同じ入力信号を供給すること、が可能である。
【００８５】
示されたパワーコネクター１７は、パワーサプライ５６を直接セレクター／エンコーダー１００に接続するためのものである。本発明のパワーフィード方法と装置は、図１Ａ〜１Ｅに示された、異なるパワーフィード経路と共に、セレクター／エンコーダー１００だけにパワーを与えるためにパワーサプライ５６をコネクター１７に接続することのように、専用のパワーサプライ５６によって異なるエレメントまたはユニットに個別的にパワーを与えること、を提供する。
【００８６】
壁ソケット９を介しておよびＲＪ４５コネクター４５を介してセレクター／エンコーダー１００をオーディオ分配器６０に接続しているＣＡＴ５ケーブル６は、符号化ステレオライン６Ａ、シリアルコマンドライン６Ｄ、インターコムスピーカーライン６Ｃ、および図１Ｂに示されたシステム中でのようにそうでなければマイクロホンライン６Ｂとして使われるパワー供給ライン６Ｇ、という４つのツイストペアからなる。
【００８７】
ビデオインターホンまたはビデオインターコム５０をオーディオ分配器６０とホームオートメーション分配器５５に接続しているその他のＣＡＴ５ケーブル６は、ＲＪ４５コネクターを使わず、代わりに、マイクロホンライン６Ｂが端子５６に接続され、インターコムスピーカーライン６Ｃがオーディオ分配器の端子５７に接続されて、それは２つの分配器の端子およびポートに直接接続する。
【００８８】
シリアルコマンドライン６Ｄは、ホームオートメーション分配器５５の端子５３に接続されて示されているが、代りにオーディオ分配器６０の端子５３に接続されることができる。２つの分配器の端子５３は両方ともライン６Ｄを介して並列に２つの端子またはポート５３中に一緒に結びつけられているので、どちらの分配器にシリアルコマンドラインが接続されているかは何の違いももたらさない。第四のツイストペアライン６Ｅは、ビデオインターホンシステムから伝播された多重化されたライン信号をコネクター５８に供給するホームオートメーション分配器端子５４に接続される。示されたコネクター５８は、実際には、上述したＲＪ４５コネクターと同じである。
【００８９】
ライン６Ｅを通して供給された多重化された信号は、ビデオ、オーディオ、データ、コマンド、制御および上で参照したビデオインターホンおよびショッピング端末特許および出願中に詳細に説明されたその他の信号を含み、ＣＡＴ５ケーブル５９を介してＵＳＢ変換器８０のようなインターフェース部に供給される。ＵＳＢ変換器８０は、ＵＳＢ変換された信号を、標準的なＵＳＢケーブルアッセンブリー８２を介してＰＣにまたはネットワーク通信器８３に供給する。
【００９０】
ＰＣ８３は、ビデオインターホンまたはビデオインターコムシステムの入口パネルによって生成されたビデオ画像の送信を含んだ、その他のＰＣまたはパーソナルデジタルアシスタントデバイス（ＰＤＡ）または携帯電話と通信するために、ＡＤＳＬまたはその他のインターフェースされた接続８４を介しておよびインターネットまたはその他のネットワーク８５を介して通信することができる。ＵＳＢ変換器８０は、建物の入口における訪問者と離れた場所に居るテナントの間の通信を可能とする、および／またはテナントに彼らのホームオートメーションシステムの機器を遠隔的に制御する手段を提供する。
【００９１】
しかも、寝たきりの老人または障害者および／または病人は、本発明のオーディオシステムのハンドフリーボイス通信を使って、一体化されたオーディオ−インターコムシステムを介しておよびＰＣ８３を通して、警報または緊急事態を生成するおよび／または家族に助けを求めることができる。
【００９２】
同様に、本発明のオーディオシステムは、インターコムシステムを介しておよび／またはインターネット上でＰＣ８３を介して彼らの必要および医学的状態を通信するために、老人および病人を直接彼らの指定された病院または医者に接続することを提供する。カメラ５０Ａおよび／または寝たきりの人または病人を監視して治療するためのモニター、センサー、診断、分析、アプリケーター、治療、生命維持およびリハビリテーションのような医療デバイスのあらゆる組み合わせ５０Ｂが、インターフェース８０および／またはＰＣ８３を介してビデオインターホンモニター５０に接続された時には、呼び出し人の画像、声および／または呼び出し人の心拍および血圧のようなモニターされたデータが、ネットワーク８４またはインターネット８５を介して病院、医者または緊急事態サービスステーションに同時に通信されて、看護師、医者およびまたは緊急事態ステーションが医療デバイスおよびその他の緊急事態デバイスを遠隔的に操作することを許容する。
【００９３】
インターフェースまたはＵＳＢ変換器８０および／またはＰＣ８３は、ビデオインターコムまたはビデオインターホンの入口パネルによって生成されたビデオ信号を、テレビセットトップボックスまたはケーブルボックスまたはアンテナラインに、あるいは訪問者がアパートメントを呼び出す時にはいつでもテレビビデオ入力端子に直接、供給するための周知のビデオ信号処理プログラムを含む。同時に、インターコム呼び出しは、訪問者画像を表示するようにテレビをオンにするかまたはそれに切り替えるコマンドを生成するように、ホームオートメーションＩＲデバイスを起動し、それによりホームオートメーションシステムによって制御されたテレビセット上にビデオ表示を含むように、インターコムシステムを拡張する。
【００９４】
パワーサプライ５６は、端子５１を介してホームオートメーション分配器に接続する。並列端子５１は、オーディオ分配器６０の端子５１にパワーをリンクするかまたは接続し、分配器６０は、ＣＡＴ５ケーブル６のツイストペアライン６Ｇおよび壁ソケット９を通してセレクター／エンコーダー１００にパワーをリンクするかまたは供給する。但し、上に説明したように、ＣＡＴ５ケーブルアッセンブリー６の符号化ライン６Ａを介してパワーをセレクター／エンコーダー１００に供給することも可能である。
【００９５】
同様に、オーディオ分配器６０は、ステレオ符号化ライン６Ａを介してスピーカー９０にパワーを供給する。代替的に、図１１に示されたオーディオ分配器６１は、ツイストペア６Ｇを介しておよび端子３を介して、図５Ｂのスピーカー９２にパワーを供給する。パワーフィードを含んだ単純なカスケードチェインのツイストペアを使って、オーディオコンポーネンツと、ビデオインターホン５０とカメラ５０Ａおよび／または医療デバイスまたは複数のデバイス５０Ｂおよび／または警報およびその他のデバイスのようなその関連するコンポーネンツを含んだインターコム回路の間の相互接続は、ホームオートメーションシステムと接続されて一体化されることができることと、カメラ、医療モニター５０Ｂ，警報および緊急事態デバイス（図示せず）を含んだビデオインターホンまたはインターコムをもった一体化されたオーディオは、ネットワークおよび／またはインターネット８５を介した遠隔アクセスおよび制御を含んだ、ホームオートメーション制御およびコマンドネットワークを通して操作されることができることが、明らかになる。
【００９６】
ＣＡＴ５ケーブルと係合されたネットワークおよび電話インストーラーのような通信設備インストーラーは、ＣＡＴ５ケーブルをＲＪ４５のような標準的なコネクターで終端することを好み、ＣＡＴ５ケーブルの分離された個々のカラーコード化されたツイストペアを結びつけない。そのような装備を施されたＣＡＴ５ケーブル相互接続のために、図３は、全体を通してカスケードした装備を施されたＣＡＴ５ケーブルを使って、オーディオシステムとビデオインターホンまたはインターコムシステムを好ましい実施形態のホームオートメーションと一体化するための組み合わされた分配器２００とスピーカー２９０および２９９を示す。
【００９７】
図２に示された２つの別々の分配器５５および６０とスピーカー２９０および２９９を組み合わせている図３に示された組み合わせ分配器２００は、ＲＪ４５またはその他の標準的なまたは特注のコネクターを装備したＣＡＴ５ケーブル６のような標準的なケーブルを使った、一体化されたシステム全体のためのＲＪ４５のような標準的なコネクターを含む。スピーカー２９０および２９９と組み合わされた分配器２００が後に詳細に開示される一方で、図３のシステムは、一体化されたシステム全体がＩＴ設置業者によって便利にエラー無しで設置されることができることと、図２に示されたシステム動作および制御は図３に示されたシステムのものと同一であること、を明確に示す。
【００９８】
図４Ａは、図１Ａ〜１Ｆおよび図２に示されたシステムの左スピーカー９０を示す。上で述べたように、明細書および図面中での左スピーカーへの言及は便利さのためだけである。左または右のスピーカー、オーディオアンプ出力チャネル、またはスピーカーコネクターへの言及がなされた時にはいつでも、参照された左および右は、１つのオーディオチャネルかあるいはもう１つのものを記載している例に過ぎない、左と右の用語は反転可能であり、そこでは左が右として読まれることができ、右が左として読まれることができる。
【００９９】
図４Ａの端子１は、スピーカーアッセンブリー９０を図１Ａ〜１Ｆのライン６Ａに、および図２のライン６Ａを介して端子１−１〜１−ｎに接続し、そこではツイストペアライン６ＡはＤＣパワーを搬送し、スピーカーアッセンブリー９０への／からの２ウェイの多重化されたシリアルコマンド信号と共に、符号化されたステレオ信号をスピーカーに伝播する。
【０１００】
図２に示されたスピーカー９０は、多重化されたマイクロホン信号をスピーカーからオーディオ分配器６０におよびセレクター／エンコーダー１００に壁ソケット９を介しておよび同じライン６Ａを介して伝播する、図４Ａに示したマイクロホン７０を含む。図１Ｂ、１Ｅ、１Ｆおよび２では、マイクロホン７０信号は多重化されて、ライン６Ａを介して分配器６０に供給され、また分配器からライン６Ｂを介して直接インターコムマイクロホン端子（図示せず）に供給される。
【０１０１】
それぞれ図４Ａ、５Ａ、５Ｂ、および６Ａのスピーカー９０およびスピーカー９１、９２、２９１のマイクロホン７０は、音楽がスピーカーに供給される時には操作されることができない。これは、マイクロホン７０がスピーカーによって生成されたサウンドによって圧倒されるからである。この理由のために、本発明の好ましい実施形態は、マイクロホンが起動された時にはスピーカー９０、９１、９２、および２９１を通して伝播された音楽をミュートするかサウンドをオフに切り替える。これは、２ウェイシリアルコマンドと多重化された符号化されたステレオ信号、または２ウェイシリアルコマンドと多重化されたマイクロホン信号という、２つの信号だけの単純な多重化を可能とする。
【０１０２】
多くの周知の多重化の技術および方法がある。下で説明する好ましい実施形態は、３つ、即ち符号化された信号とマイクロホン信号とシリアルコマンド信号、例えば符号かされたステレオ信号のための３０Ｈｚ〜９０ＫＨｚと２ウェイコマンド信号のための１００ＫＨｚ〜１５０ＫＨｚとＦＭ変調されたマイクロホン信号のための２００ＫＨｚ±１０ＫＨｚ、の内から２つだけの信号を多重化する周知の帯域分離を使用する。
【０１０３】
信号を分離する回路は、コイルとコンデンサを採用することによっておよび／またはデジタル信号が伝播される時にはデジタルフィルターを使って、周知のバンドパス、ローパスおよびハイパスフィルターを含む。信号を注入および抽出する回路は全て周知の回路であり、それらはＩＣパッケージで広く入手可能であるかまたはゲートアレイおよび／またはＦＰＧＡのソフトウェアでプログラムされた回路に設計されている。多重化された信号は、差動送信ライン、即ちＤＣパワーをスピーカー９０または９１におよび／またはセレクター／エンコーダー１００に搬送するツイストペアライン６Ａ、に供給されるかまたはそこから抽出される。
【０１０４】
ＤＣパワーを供給し、それを同じツイストペアライン６Ａ上を伝播された信号から分離する回路は、信号をＤＣパワーから除去し、選択されたかまたは全ての多重化された信号を注入し抽出する周知のフィルター、コイルおよびコンデンサを採用する。図５Ａの回路７１、図５Ｂの回路３２Ａ、図９の回路３５Ａ、図１０および１２の回路３５ＢのようなＤＣを供給および／または抽出するための、および多重化された信号を分離／抽出するための回路は、米国特許5,923,363        に十分に開示されており、それらはここに引用によって組み込まれる。
【０１０５】
これに応じて、分離されたＤＣパワーは回路７１から図５Ａの電流制御回路７２に供給される。電流制御７２は、ＶＣＣ、スピーカーステレオアンプ６８を例外としてスピーカーアッセンブリー９１の回路全体にパワーを与えるための調整された電圧源、を出力する。スピーカーアンプ６８は、０．３Ａのような与えられた値に電流を制限する制御された電圧と電流ＶＤＤによって供給される。これは、図４Ｂに示されたスピーカー９１とそのペア９９に供給されるオーディオパワー出力を制限する。オーディオパワー出力は、オーディオ信号内容とオーディオ信号レベルに依存し、従って音楽信号は変動する信号およびレベルであるので、スピーカーアンプ６８による変動する電流ドレインは避けられない。
【０１０６】
多重化された信号を搬送しているツイストペアライン６Ａを介したスピーカーペア９０および９１へのパワーフィードは、ＤＣ電流が固定されて一定である時のみ可能である。これは、ＤＣ電流ドレインの変動は直接差動信号伝播の変動と変形を引き起こすからである。この理由にために、電流ドレインは固定されて一定のまま維持されなければならない。
【０１０７】
例えば、マイナーな電流変動をもった一定の電流を消費するツイストペアライン６Ａを介したセレクター／エンコーダー１００に供給することは、図８の周知のＤＣパワー調整器回路３４Ｂを使った電流制御がＤＣ分離器回路３５を介して供給された電流を制御するので、制限無くパワーを与えられることができる。電流ドレインのマイナーな変動を防止するために、回路３４Ｂは、実際の計算された電流消費よりも１０％多くのように、より高い電流をドレインするように計算され、調節可能なダミー負荷を介して使用されていない電流部分を分流する。例えば、もしセレクター／エンコーダー１００の計算された消費が１２０ｍＡであれば、ＤＣパワー調整器３４Ｂは、回路３４Ｂの調節可能なダミー負荷を介して分流される１２ｍＡの１０％過電流を使って、１３２ｍＡをドレインするように設計される。これにより、一定の電流を符号化され多重化されたライン６Ａを通してドレインして、信号、温度および／またはコンポーネント耐性による電流変動が信号伝播に影響を与えないことを確かなものとすることが可能である。
【０１０８】
そのような電流制御回路が図５Ａのスピーカー９１によって使われるが、スピーカーアンプ６８による電流変動が、電流制御および分流レンジに限度を強制する。この理由のために、スピーカーアンプのパワー出力は、その電流が電流制御７２Ａの制御レンジ内に入るような値に制限されなければならない。例えば、０．２Ａの最大電流と１０ＶのＤＣ電圧レベルでは、良好なサウンド品質の１．５Ｗばかりを出力することが可能であり、それは与えられたアパートメントのリビングルームでバックグラウンドミュージックを演奏するために必要とされるよりも多い。
【０１０９】
図４Ａは、バッテリー制御回路７３と充電可能なバッテリー７４を例外としてスピーカーアッセンブリー９１と同様である、スピーカーアッセンブリー９０を示す。電流制御回路７２によって制御された一定の固定された電流ドレインは、電流制御７２Ａを介してスピーカー９１によりドレインされた一定の固定された電流と同じであり、バッテリー制御回路７３が電流制御７２の調節可能なダミー負荷である。
【０１１０】
スピーカーがオンまたはオフに切り替えられているかどうかに関わらず、最大の固定された一定の電流がスピーカーアッセンブリー９０によってドレインされる。スピーカーがオフの時には、電流ドレインのほとんどが充電可能なバッテリー７４を充電するのに使われる。スピーカーが低いレベルの出力でオンに切り替えられた時には、スピーカーアンプ６８への電流は、バッテリー制御回路７３を通して供給され、使用されていない電流を継続した充電のためにバッテリー７４に分流する。
【０１１１】
スピーカーアンプ６８による電流ドレインがより高いオーディオパワー出力に増加するにつれて、バッテリー７４を充電するために供給された電流は減少するかまたは完全にカットされる。もっとより高い出力パワーを許容するために電流が更に増加された時には、バッテリー制御７３は、充電されたバッテリーから追加の電流ドレインを供給するためにその電流経路を反転する。スピーカー９０と関連付けられた、そのようなバッテリー制御回路７３と充電可能なバッテリー７４により、スピーカー９０は、符号化されたステレオ信号および２ウェイシリアルコマンド信号を含んだ伝播された信号を乱すこと無しに、ツイストペアライン６Ａを介してスピーカー９０に供給された固定された一定の電流を超える、より高いオーディオ出力サウンドを生成することができることが明白になる。
【０１１２】
ここでも、ビデオインターホン特許5,923,363が、ビデオインターホンを動作させるために使われる充電可能なバッテリーとバッテリー制御回路を開示しており、その内容はここに引用によって組み込まれる。5,923,363特許によって開示された別のパワーを与える方法は、モニターへのパワーサプライのダイレクト接続であり、同じことが本発明のスピーカーにも当てはまる。
【０１１３】
図５Ｂの９２、図６Ａの２９０および図６Ｂの２９９のスピーカーアッセンブリーは全て、ライン６Ｇのような標準的なＣＡＴ５ケーブルのツイストペアを使って、別のパワーラインを介してパワーを与えられている。図５Ｂは、パワーライン６Ｇをリンクするかまたは接続するためのパワー端子３を示す。図５Ｂのスピーカー９２の回路全体またはブロック図は、パワーフィード回路を例外として図５Ａのスピーカー９１と同様である。ダイレクトパワーリンクまたはフィードは、アンプをその定格出力におけるフル音量で動作させるのに必要とされる幅広く電流が変動するドレインのための調整された電圧ラインであるＶＤＤによって供給されるように示されているスピーカーアンプ６８を除いて、スピーカー９２の回路の全てに供給する調整された電圧源ＶＣＣを出力するための標準的なＩＣ、ダイオード、トランジスターおよびその他の離散的コンポーネンツを使った周知のスイッチング調整器またはアナログ調整器を含んだ、周知のパワー制御および調整器回路３４によって制御される。もう１つの違いは、図５Ａに示されたスピーカー９１の回路７１のＤＣ分離する回路部分の排除である。
【０１１４】
スピーカー９２の回路３２Ａは、ＤＣ分離器回路部分を含んでいない。図４Ａ、５Ａおよび５Ｂのスピーカー９０、９１および９２は、一方向で符号化されたステレオ信号とシリアルコマンド信号を抽出するための、および反対方向でマイクロホン信号とシリアルコマンド信号を注入するための、同一の回路７１または３２Ａを含む。ステレオデコーダー６７は、周知のステレオデコーダーＩＣであり、ステレオＦＭラジオのために使われるステレオデコーダーのように、低コストで多くの種類で入手可能である。符号化された信号が圧縮されたオーディオデジタル信号である時には、ステレオデコーダーは、ＭＰ３、ｉＰｏｄまたはＣＤプレーヤーで使われるようなデジタルステレオデコーダーを含んだＩＣであるか、またはそのような復号プログラムがＤＳＰデバイス（図示せず）中またはＣＰＵ４１中にインストールされることができる。
【０１１５】
ステレオデコーダー６７の出力は、その左チャネル出力を左スピーカー６９に供給するスピーカーアンプ６８に供給されるが、上で説明したようにスピーカー６９は右または左スピーカーのどちらかであることができる。スピーカーアンプのもう１つの出力チャネルは、もう１つのスピーカーをツイストペア６Ｆを介して接続するための端子４を介して右、または場合によっては左、スピーカーに供給する。図４Ｂの示されたスピーカー９９は、ツイストペアライン６Ｆの他端をその端子４を介して接続する右、または場合によっては左、のものである。スピーカーアンプ６８は、シリアルコマンドまたはプロトコルによって制御され、異なる製造業者によるＩＣパッケージで入手可能な、周知のステレオ出力アンプである。同様に、ステレオデコーダー６７も、シリアルコマンドによって制御される。
【０１１６】
ツイストペアライン６Ａを介して伝播された符号化されたステレオ信号は、抽出され、復号され、増幅され、カスケードしているツイストペアを介して左右のスピーカーのペアに供給されることが明らかになる。
【０１１７】
周知のＲＳ４２２またはＲＳ４８５のような多重化されたシリアルコマンド信号は、符号化ステレオ信号ライン６Ａ上でスピーカーに供給され、それは信号抽出器回路３２Ａまたは７１によって抽出されて、ＣＰＵ４１に供給される。シリアルコマンド信号は、コード化されたコマンドからなり、それは例えば、パワーオン、パワーオフ、ミュート、音量アップ、音量ダウン、トーンハイ、トーンロー、バランス左、バランス右、右チャネルミュート、左チャネルミュート、ハンドフリーマイクロホン起動、話す、聞く、ドアオープンおよびビデオインターホンまたはインターコムおよび／またはホームオートメーションシステムを操作するための多くのその他のコマンドを命令するためのプロトコルを含む、プロトコルとしても知られる。プロトコルまたはコマンドはまた、ＩＲ受信機２５Ｒ−１〜２５Ｒ−ｎを介しておよびＩＲＲＸ２６Ｒを介してＣＰＵ４１に供給されることもできる。ＣＰＵ４１によって処理されたＩＲ遠隔制御コマンドとＩＲ送信機は後に説明される。
【０１１８】
以下の記載および請求項における「住居情報信号」という用語は、多重化されて１つ以上のツイストペアを介して伝播された、ビデオのみ、オーディオのみ、符号化された信号のみ、シリアル信号のみ、マイクロホン信号のみ、インターコムスピーカー信号のみ、遠隔制御信号のみ、警報信号のみ、データ信号のみ、制御信号のみ、および／またはその組み合わせのような、個別の信号の伝播を指し、そこでは前記シリアル信号は、コマンド、制御、ステータス、データ、遠隔制御、デジタルオーディオ、およびデジタルビデオからなっていても良い。前記符号化された信号は、符号化されたステレオ、符号化されたモノラルオーディオ信号、およびそれらの組み合わせからなり、そこでは遠隔制御信号への言及は、ＩＲまたはＲＦのような無線で伝播された信号、およびホームオートメーションで伝播されたシリアル信号との組み合わせでシリアル信号と共に伝播されるもののような有線遠隔制御であることができる。
【０１１９】
ホームオートメーションおよびビデオインターホンまたはインターコムプロトコルを含んだオーディオシステムのプログラムされたコマンドプロトコルは、伝播された多重化されたシリアルコマンド信号および／または受信されたＩＲ遠隔制御コマンドから抽出されたあらゆるコマンドの処理を可能とするために、ルックアップテーブルにリスト化され、ＣＰＵ４１および２４のメモリー中に格納される。これは、スピーカー、オーディオ分配器９０〜９５および２００およびセレクター／エンコーダー１００〜１０３が、インターコムを処理し、制御しそれと通信すること、および／またはアパートメントのその他の部屋またはゾーンのホームオートメーションおよびオーディオシステムと関連するコマンドを伝播すること、および／または建物のメインまたはその他のドアを開けることのようなインターコム回路を操作するためのコマンドを伝播すること、および／または緊急事態および警報を生成することと、そのような警報、緊急事態または医学的状態を、ネットワークまたはインターネットを介してｅ−サービス、ｅ−警報、ｅ−医療および／またはｅ−病院および／またはｅ−ショッピングのようなｅ−ステーションと通信すること、を可能とする。
【０１２０】
ＣＰＵ４１は、それらがスピーカーアッセンブリーの部屋またはゾーンに宛てられているかどうかに関わらず、全ての受信したコマンドを処理する。ＣＰＵ４１は、ルックアップテーブルに従って、例えば同じ部屋またはゾーンのホーム機器を操作するためのＩＲ制御コマンドを生成するか、または  その他の部屋またはゾーンに宛てられた制御コマンドを中継する。そこにスピーカーが設置された部屋またはゾーン中のスピーカー、オーディオシステムおよび／またはインターコムシステムを操作するために宛てられたコマンドは、ステレオデコーダー６７、スピーカーアンプ６８およびハンドフリーアンプ７６の制御と動作を含んで、スピーカーのＣＰＵ４１によって実行される。
【０１２１】
上で説明されたように、マイクロホン７０がインターコムと通信することを可能とするために、音楽はミュートされるかカットされなければならず、ビデオインターホンまたはインターコム５０が呼び出しコマンドを生成した時には、与えられたシナリオは、インターコムスピーカーを図７および８のセレクター２２の入力ＩＮ−Ｍを介して出力ポートＯＵＴ−２に自動的に接続することであっても良く、それによりエンコーダーに供給された音楽ソースからライン６Ｃを介して供給されたインターコムスピーカー信号に切り替えることによって、エンコーダー２９から音楽ソースをカットする。同時に、ＣＰＵ２４は、インターコムスピーカー信号を右スピーカーチャネルに伝播するためのモノラルモードに、ステレオエンコーダー２９を切り替える。
【０１２２】
インターコム呼び出しコマンドはまた、スピーカーのインターコム呼び出しモードを始動するために、図４Ａ、５Ａおよび５Ｂに示されたスピーカー９０、９１および９２の回路７１または３２Ａの信号抽出器によって、受信され、抽出され、参照されたスピーカーアッセンブリーのＣＰＵ４１に供給され、そこではＣＰＵ４１は、左チャネル出力をミュートし、スピーカーアンプ６８の右出力チャネルを通して呼び出しまたは呼び出し音を生成するように、スピーカーアンプ６８に命令する。呼び出しまたは呼び出し音はまた、選択可能な持続時間をもった、選択可能な格納されたメロディーまたはチャイムサウンドであることもでき、全てはＣＰＵ４１のメモリー中に格納される。呼び出し音が停止した直後に、図４Ａ、５Ａまたは５Ｂに示されたスピーカーは、インターコム待機モードに入るようにＣＰＵ４１のプログラムによって命令される。
【０１２３】
インタ−コム呼び出しまたは待機モード中に可能ないくつかの通信シナリオがある。別のシナリオは、右スピーカー４Ｂがインターコム入口パネルの前に立っている訪問者の声を出力するが、テナントがオープンボイスキー１２またはＩＲ遠隔制御部４８のオープンボイスキーにタッチするまでマイクロホン７０はミュートされることを提供する。これは、周知のハンドフリー通信をオープンし、そこではマイクロホンとスピーカーが交番で動作する。マイクロホン７０によって供給されるハンドフリー制御回路７６は、有線または無線電話システムで使われるもののような、多くの異なるＩＣパッケージで入手可能な、周知の回路である。
【０１２４】
ハンドフリーマイクロホンアンプ７６は、ステータス信号をＣＰＵ４１に供給し、そのコマンド受信入力は、スイッチオン、スイッチオフ、話す、聞く、待つおよびミュートのようなＣＰＵ４１コマンドを受信するために継続的に準備が出来ている。同時に、ＣＰＵ４１は、ステレオデコーダー６７とスピーカーアンプ６８を制御し、それはＣＰＵ４１が、ハンドフリーオープンボイス通信を完全に管理し、音響的ハウリングおよびフィードバックを除去し、スピーカーまたはマイクロホンまたはその両方の音量を増減することを可能とする。
【０１２５】
上述したスピーカーおよびマイクロホンを介して本発明のオーディオシステムを通して、参照された特許および出願のビデオインターホンまたはショッピング端末あるいはあらゆるその他の建物のビデオインターコムまたはインターコムの間のハンドフリー通信を制御する能力は、特に例えば老人および寝たきりの人のための看護建物または家の中の注目を必要とする寝たきりの人、病人および老人のために、全く新しい遠隔ボイス通信の機会を切り開く。ＣＰＵ４１は、「介護士」デスクが遠隔的に「オープンボイス」シリアルコマンドを、自分自身ではそうすることができない寝たきりのテナントのアパートメントのオーディオシステムに供給することを可能とするようにプログラムされ、寝たきりかまたはその他の介護を必要とするテナントを遠隔的に監視して通信する能力を、介護士デスク、医者または病院に与える。
【０１２６】
更に別のシナリオは、ＩＲ遠隔制御４８に「話す」キーを加えて、難聴のテナントが話すキーを押すことによって、聞くモードから話すモードに切り替えることを可能とすることである。これは、スピーカーからマイクロホンへの音響的ループおよびフィードバックを完全に排除し、スピーカーアンプ６８の増加した音量を提供し、それにより難聴者および老人に高音量サウンドレベル通信を提供する。異なるシナリオと通信処理プログラムがＣＰＵ４１とそのメモリー中に組み込まれることができ、選択可能にされることができることが、上記から明らかになる。上での左右のスピーカーへの言及は便利さのためだけであることと、左右の用語は場合によっては反転可能であることが、再度注意されるべきである。
【０１２７】
ハンドフリーアンプ７６から出力された増幅されたマイクロホン信号は、変調器と出力バッファー７７と、２００ＫＨｚのような搬送波周波数を有する周知のＦＭ変調器と、ＦＭ変調されたマイクロホン信号を信号注入器または挿入器回路７１または３２Ａに供給するための出力バッファー、に供給される。信号注入器または挿入器は、ＦＭ変調されたマイクロホン信号をツイストペアライン６Ａに供給するため、およびマイクロホン信号を逆方向に符号化されたステレオ信号伝播まで伝播するための、カップリングコンデンサまたはＲＦ信号変成器および周知の差動ラインアンプであることができる。ＦＭ変調がこの発明の好ましい実施形態の変調であるが、ＡＭ，ＳＳＢまたはＰＭのようなあらゆるその他の変調が代りに使われることができ、しかもマイクロホン信号がデジタル信号である時には、周知のデジタル変調ＯＯＫ、ＡＳＫ、ＦＳＫ、ＰＳＫ技術のような変調、またはデータ送信および／または多重化で使われるあらゆるその他のデジタル信号の処理、が使われることができる。
【０１２８】
上で説明されたように、インターコム通信がアクティブである時には、符号化されたステレオ信号はミュートされ、従って多重化はＦＭ変調されたマイクロホン信号とシリアルコマンド信号だけに制限される。信号抽出器、注入器または挿入器の更なる詳細は、ビデオインターホンの米国特許5,923,363に記載されており、それはここに引用によって組み込まれる。
【０１２９】
図４Ａ、５Ａおよび５Ｂに示されたスピーカー９０、９１および９２へ／から供給されたシリアルコマンドは、ＣＰＵ４１へ／から供給された信号抽出器、注入器または挿入器７１または３２Ａによって抽出されて挿入される。ツイストペアライン６Ｄのような差動信号ライン上を送信された、周知のＲＳ４２２またはＲＳ４８５のようなシリアルコマンド信号が、本発明の好ましい実施形態で使われるが、ＤＴＭＦまたはラインコード化および／またはＰＣＭのような変調されたデータおよび／または圧縮されたデータまたはこの発明のオーディオコンポーネンツと上で説明され上で参照したホームオートメーション特許に詳述されたビデオインターホンまたはインターコム５０および／またはホームオートメーションとの間でコマンドを伝播するためのその他の方式のような、あらゆるその他の制御およびコマンド信号が使われることができる。
【０１３０】
シリアルコマンドは、デジタルロータリーまたはＤＩＰスイッチ４４を介してか、またはハードウェアジャンパー設定または左スピーカーアッセンブリーのＣＰＵ４１のメモリー中にアドレスをインストールすることのようなその他のアドレス設定プロセスを介して設定された、部屋またはゾーンアドレスのようなアドレスを含む。後に説明されるように、オーディオ分配器６０はまた、各分配されたステレオ符号化ライン６Ａのためのアドレス設定も提供する。
【０１３１】
本発明の別の新規なアイテムは、図４Ａ、５Ａ、６Ａおよび６Ｂに示されたＩＲ受信機２５ＲとＩＲ送信機２５Ｔであり、そこではｎ個のＩＲフォトトランジスターまたはピンダイオード２５Ｒ−ｎとＩＲＬＥＤｓ２５Ｔ−ｎが、図６Ａおよび６Ｂに示されたような左スピーカーおよび／または右スピーカー中に組み込まれることができる。ＩＲフォトトランジスターまたはピンダイオード２５Ｒは、ＩＲ遠隔制御部４８からのコマンドを受信し、受信したコマンドをＩＲＲＸ回路２６Ｒを介してＣＰＵ４１に供給し、それは受信したコマンドに従ってステレオデコーダー６７とスピーカーアンプ６８を動作させるか、またはＣＰＵ４１は、同じ部屋またはゾーン中のホームオートメーション機器を動作させることを意図したコマンドを再生成し、上で言及したルックアップテーブルに基づいて再生成されたコマンドを、ＩＲ遠隔制御電流信号をＩＲＬＥＤｓ２５Ｔ−１〜２５Ｔ−ｎに供給する送信機回路２６Ｔに向かわせて、それにより参照米国特許出願11/939,785に記載されたようなＩＲ遠隔制御ドライバーになり、その開示されたＩＲドライバーの詳細はここに引用によって組み込まれる。
【０１３２】
ＩＲ受信機２５Ｒによって受信されたＩＲコマンドが、別の部屋またはゾーンに宛てられている時には、ＣＰＵ４１はコマンドを処理し、シリアルコマンドを、ルックアップテーブルに基づいて、処理されたシリアルコマンドをライン６Ａを介してオーディオ分配器６０および／またはホームオートメーション分配器５５におよび／またはビデオインターホンまたはインターコム５０におよび／またはセレクター／エンコーダー１００に伝播するための、注入器または挿入器回路７１または３２Ａに供給し、それにより図４Ａ、５Ａおよび５Ｂのスピーカーアッセンブリー９０、９１および９２が、組み合わされたオーディオ、ホームオートメーションおよびビデオインターホンまたはインターコムの全体を通してＩＲコマンドを伝播するためのＩＲ分配ドライバーとなる。ＩＲフォトトランジスターまたはピンダイオード２５Ｒ−ｎとＩＲＬＥＤｓ２５Ｔ−ｎは、ここに引用によって組み込まれる特許出願11/939,785に開示されたＩＲドライバーと同様に、回転可能および調節可能にされることができ、それによりスピーカーアッセンブリーをもったＩＲドライバーという新規な機器となる。
【０１３３】
一体化されたシステムのシリアルコマンド信号を介してシステムを遠隔的に制御するために、ホームオートメーションのＩＲドライバーをスピーカーの外で使うことも勿論可能である。インターコムおよび／またはホームオートメーションシステムと関連付けられた警報、緊急事態または医療デバイスによってインターコムを自動的に宛先とするために、有線またはＲＦ遠隔制御およびデータ信号を一体化されたシステム内で伝播することも可能である。図２および３にカメラ５０Ａと医療モニターまたはその他の医療デバイス５０Ｂとして示されたそのようなデバイスは、ビデオインターホンまたはインターコム５０に接続されているが、代りにそれらを、医療デバイスを操作するための遠隔制御信号を交換するためにインターフェースまたはＵＳＢ変換器８０に接続することができる。参照されたビデオインターホン特許は、緊急事態、警報および医療デバイスと通信するためのＲＦ送受信機を開示している。
【０１３４】
上の説明から、図４Ａ、５Ａおよび５Ｂに示されたスピーカーアッセンブリーと、後に説明されるように、また図６Ａおよび６Ｂに示されたスピーカーアッセンブリーは、制御されたステレオサウンドまたはモノラルインターコムサウンドを出力するために単一のツイストペアライン６Ａを介して伝播された符号化されたステレオ信号を受信し、同じライン６Ａ上でインターコムシステムと通信するように返されたマイクロホン信号を供給することができることが明らかである。スピーカーは、ホームオートメーションシステム、ビデオインターホンシステムによって、ＩＲまたはあらゆるその他の遠隔制御デバイスを介して、制御されることができることも、上記から明らかである。本発明のスピーカーアッセンブリーは、オーディオシステム、ハンドフリーマイクロホン信号通信、ビデオインターホンまたはインターコムシステムの通信と動作を制御し操作するために、および／またはアパートメントのホームオートメーションシステムを操作するために、ＩＲ遠隔制御を伝播するためのＩＲドライバーシステムになることができることも明らかである。
【０１３５】
図１Ａ〜１Ｆ、図２および図３に示されたセレクター／エンコーダー１００は、全てのバージョンと組み合わせの可能性を組み合わせるセレクター／エンコーダーである。図７、８および９に示されているのは、それぞれセレクター／エンコーダー１０１、１０２および１０３の３つのブロック図であり、各々は異なるパワーフィードと、インターコムスピーカーとマイクロホン信号を接続するための異なる回路および接続を示す。好ましい実施形態のスピーカーおよびマイクロホン信号は、与えられたアパートメントの内部で１つより多くのインターコムハンドセットまたはパネルを相互接続するためにインターコムシステムによって一般的に使われるアナログ信号である。そのような一般的なインターコムスピーカーおよびマイクロホン信号は、接地ラインと、図１０に示された端子５６および５７のようなマイクロホンライン端子およびスピーカーライン端子の間に接続される。インピーダンスと信号レベルは、オーディオシステムの対応する出力および入力とマッチしなければならないので、マイクロホンとスピーカーの信号とラインは、スピーカー信号のために入力ラインバッファー３８を、マイクロホン信号のために出力信号バッファー３７を使って、バッファーされなければならない。そのようなバッファーによって、一般的に使われるインターコムのアナログスピーカーおよびマイクロホン信号のより低いインピーダンスとより高い信号レベルは、オーディオ信号伝播のために使われるより高いインピーダンスとより低い信号レベルとマッチされる。
【０１３６】
信号伝播が全てデジタルである時には、一般的なインターコムシステムを本発明のオーディオシステムと相互接続するために、同様のバッファー回路が必要である。但し、インターコムシステムがデジタルオーディオ伝播を使う時には、バッファー回路３７および３８は、Ｄ／Ａ（デジタル−アナログ）および／またはＡ／Ｄ（アナログ−デジタル）変換器を含み、インターコムとオーディオシステムの両方の処理された信号の間の整合性を確かなものとするように、ＣＰＵ４１または２４中にインストールされたＤＳＰデバイスまたはデジタルオーディオ処理プログラムを含む。
【０１３７】
バッファーアンプ３７または３８またはその両方のいくつかは、図６Ａの２９０のようなスピーカーアッセンブリー中に、または図７および８のセレクター／エンコーダー１０１および１０２中に、または図１０、１１および１５の分配器６０、６１および２００中に、含まれていても良いので、全ての接続可能性が図７〜９に描かれてはいないが、示されたブロック図は、多くの相互接続可能性を完全に開示するのに十分である。
【０１３８】
セレクター／エンコーダー１００への多くのパワーフィードの可能性が、スピーカーへのパワーフィードまたはシステム全体へのパワーリンクまたはフィードとの関係で、即ち、セレクター／エンコーダー１００を介して、またはオーディオ分配器６０を介して、またはホームオートメーション分配器５５を介して、または両分配器５５および６０を介して、そして符号化ステレオライン６Ａを介してかまたは別のパワーラインリンク６Ｇを介して供給されたパワーか、またはそのパワーコネクター１７を介してセレクター／エンコーダー１００をリンクしているパワーサプライからのダイレクトパワーフィードをもって、上に説明された。
【０１３９】
図７は、パワーコネクター１７を介してパワーサプライ５６（図示せず）によって直接供給されたパワーをもつか、または両分配器５５および６０の一方または両方を介しておよび図１Ｃのツイストペアライン６Ｇを介してパワーサプライ５６にリンクされた、セレクター／エンコーダー１０１を示す。パワーがライン６Ｇを介して供給されている時には、コネクター１７は使用されず不要である。パワーがパワーサプライ５６によって直接コネクター１７に供給されている時には、ライン６Ｇは図５Ｂ、６Ａおよび６Ｂに示されたスピーカーアッセンブリー９２、２９０および２９９に供給するリンクラインになる。
【０１４０】
コネクター１７に直接かまたはライン６Ｇを介して供給されたパワーは、図５Ｂ、６Ａおよび６ＢのスピーカーアッセンブリーのＤＣパワー制御および調整回路３４および図７のセレクター／エンコーダー１０１のパワー調整回路３４Ａによって調整され制御される。両方の調整器３４および３４Ａが調整された電圧ＶＣＣを提供すると共に、２つの調整器の間の違いは、スピーカーアッセンブリーのために必要とされ調整器および制御回路３４によって提供される電圧および電流制御ラインＶＤＤであり、一方で図７のセレクター／エンコーダー１０１の調整器３４Ａは調整されたＶＣＣのみを出力する。
【０１４１】
図８は、そのパワーが、それぞれ図４Ａおよび５Ａのスピーカー９０および９１の回路７１によっても使われ上で説明された、コイル、コンデンサおよびフィルターからなる回路であるＤＣ分離器回路３５に、符号化ライン６Ａを介して、分配器５５および６０の一方または両方を通してパワーサプライ５６によって供給される、セレクター／エンコーダー１０２を示す。分離されたＤＣは、図８のセレクター／エンコーダー１０２の動作のために必要とされるＶＣＣを調整する、電流制御およびＤＣパワー調整回路３４Ｂに供給される。
【０１４２】
上で説明したように、セレクター／エンコーダー１０２の電流消費は低く、従ってセレクター／エンコーダー１０２に供給された電流は、温度、コンポーネント耐性およびその他のマイナーな変量のための電流ドレインの変動を確かなものとするように計算されたおよそ１０％の残留電流変動を調節するための制御された分流回路を含む電流制御回路３４Ｂによって制御された、一定の固定された電流である。セレクター／エンコーダーによる低い電流ドレインは、制限の無いセレクター／エンコーダー１００とオーディオ分配器６０の間のツイストペアライン６Ａを介した符号化されたステレオ信号と多重化されたシリアルまたはマイクロホン信号の伝播と共に、ＤＣ電流を供給することを簡単にする。
【０１４３】
図９は他方において、パワー制御および調整３４Ｃと、図１Ａおよび１Ｂに示され上で説明された図４Ａのスピーカーアッセンブリー９０にパワーを与えるためにＤＣパワーを符号化ステレオライン６Ａに注入するＤＣ注入器または挿入器３５Ａを介した、セレクター／エンコーダー１０３のコネクター１７を通したパワーサプライ５６によるＤＣフィードを含む、セレクター／エンコーダー１０３を示す。スピーカーに供給された電流は変動し、符号化ライン６Ａを介してスピーカーに供給された電流を制限する必要がある。電流は、パワー制御および調整回路３４Ｃの周知の一定電流調整器部分によって制御される。
【０１４４】
パワーサプライリンクとインターコム信号伝播変動を例外として、セレクター／エンコーダー１０１〜１０３の全てのその他の回路は同じである。セレクター２２は、ＩＮ−１〜ＩＮ−ｎおよびＩＮ−Ｍのいずれかを、ＯＵＴ−１およびＯＵＴ−２として示された出力１９のいずれかと接続するための、周知のアナログ多重化器またはデジタルスイッチまたはマトリクスセレクターである。５つの示された入力１８の各々は、ＭＰ３、ＣＤ、ｉＰｏｄ、ＤＶＤ、ブルーレイおよびあらゆるその他の音楽プレーヤー、またはラジオおよびテレビセットまたはセットトップボックス、テレビのためのケーブルおよび／または衛星変換器を含んだその他のオーディオソースのような、あらゆる周知の音楽プレーヤーを接続するためのステレオＬ−Ｒ入力である。５つのステレオ入力のみが示されているが、あらゆる数の入力がセレクター２２中に組み込まれることができる。示された入力ＩＮ−Ｍは、インターコムスピーカー信号のためのモノラル入力である。２つの示された出力１９は、選択された入力をその他の周知のオーディオアンプまたはプリアンプに接続するためのＯＵＴ−１と、選択された入力をステレオエンコーダー２９に供給するためのＯＵＴ−２である。２つの出力のみが示されているが、セレクターはあらゆる数の出力を組み込むことができる。
【０１４５】
セレクターは、操作および選択キー１１〜１３Ａを介してセレクター／エンコーダー１０１〜１０３に、ＩＲフォトトランジスターまたはピンダイオード２５およびＩＲＲＸ２６を介してＩＲ遠隔制御部４８に、またはその他のタイプの遠隔制御部に、および／またはシリアルライン６Ｄとシリアルドライバー２８を介してＣＰＵ２４に伝播された、ビデオインターホン５０とホームオートメーション制御システムによって共有されたシリアルコマンドネットワークを介して、供給されたコマンドに従って、１つの選択された入力を全ての出力に、または与えられた入力を与えられた出力に、接続するためのＣＰＵ２４から供給されたコマンドによって、操作される。
【０１４６】
代替的に、シリアルコマンドは、差動受信機抽出器３２によって多重化された符号化ステレオライン６Ａから抽出されて、ＡＳＫデコーダー３３を介してＣＰＵ２４に供給されることができる。ＣＰＵはまた、オンに切り替えて差動ツイストペアドライバー３１にステレオ符号化信号を出力するように、ステレオ変調器２９に命令する。
【０１４７】
ステレオエンコーダーは、周知のＪＲＣによるモデルＮＪＭ２０３５、またはＲＯＨＭによるＢＨ１４１５および多くのその他のステレオエンコーダーＩＣｓのような、符号化された信号をＦＭラジオ送信機に供給するための単一パッケージＩＣを含んだ、異なるパッケージで入手可能な、周知のエンコーダーＩＣである。デジタルステレオ信号が伝播された時には、デジタルステレオエンコーダー、例えば周知のFree ScaleによるIC MC44C401Lまたは広く入手可能なその他のＩＣｓ、が代りに使われる。
【０１４８】
いくつかのデジタルステレオエンコーダーおよびデコーダーは、エンコーダーとデコーダーの間で、マルチオーディオチャネルと、２ウェイインターコムスピーカーおよびマイクロホン信号を含んだデータ信号を伝播することができる、プログラムされたＤＳＰデバイスである。そのようなＤＳＰデバイスは、差動受信機３２とＡＳＫデコーダー３３を不要で使用されないものにする。
【０１４９】
ＣＰＵ２４は、コネクター２０−１〜２０−ｎを介して、再生デバイスおよび／または音楽ソースの各々を個別に遠隔的に操作するためのシリアルコマンドを供給する。操作および選択キー１１〜１３ＡまたはＩＲ遠隔制御４８を介してまたはホームオートメーション制御ネットワークおよびビデオインターホン５０を介して生成されたコマンドは、そのようなシリアルコマンド入力コネクター（図示せず）が設けられた再生デバイスまたは音楽ソースに、ＣＰＵ２４のメモリー中に格納されたルックアップテーブルに基づいて、ＣＰＵ２４から供給される。ＣＰＵ２４は応答して、それが受信するコマンドに基づいてオーディオシステムの機能および特徴の全てを操作するか、またはシリアルドライバー２８とライン６Ｄを介して、および／または差動ツイストペアドライバー３１とライン６Ａを介して、ホームオートメーション機器を操作するためのコマンドを転送する。
【０１５０】
図７は、信号レベルとラインインピーダンスをマッチするのに必要である、２つのバッファー回路、上で説明したインターコムスピーカーバッファー３８とマイクロホンバッファー３７、を示す。２つのバッファーは、セレクター／エンコーダー１０１が、ビデオインターホンまたはインターコムも壁ソケット９に接続されていることを示す図１Ｂに示されたスピーカー９０に、壁ソケット９を介して直接接続される時に必要とされる。
【０１５１】
スピーカー９０は単一のツイストペア６Ａを介して接続されるので、インターコムスピーカー信号をスピーカーに直接供給することが不可能であり、この理由のために、スピーカー信号は、ＣＡＴ５ケーブル６のスピーカーツイストペアライン６Ｃを介して壁ソケット９を通してセレクター／エンコーダー１００に、またＲＪ４５を介して図７に示されたインターコムスピーカーバッファー３８の入力に、供給される。スピーカーバッファー３８は、インターコムがアクティブである時には、モノラルスピーカー信号をモノラルモードで動作しているエンコーダー２９に接続するためのセレクター２２の入力ＩＮ−Ｍに、および符号化されたモノラル信号をライン６Ａを介してスピーカー９０に供給するための差動ドライバー３１に、インターコムスピーカー信号を供給するために、信号レベルとインピーダンスをマッチさせる。
【０１５２】
マイクロホン信号は、マッチしたマイクロホン信号レベルおよびラインインピーダンスをＣＡＴ５ケーブルのツイストペアライン６Ｂと壁ソケット９を介してインターコム回路のマイクロホン入力に出力するために、復調されたマイクロホン信号をマイクロホンバッファーアンプ３７に出力するためのＦＭ復調器３６に受信したＦＭ変調器マイクロホン信号を供給する差動受信機３２に、壁ソケット９、ＣＡＴ５ケーブル６およびＲＪ４５コネクター２１を通してツイストペアライン６Ａ上で多重化された、スピーカー９０から逆方向に供給される。
【０１５３】
図８は、インターコムスピーカーバッファー３８のみを含みマイクロホンバッファー３７を含まない、セレクター／エンコーダー１０２を示す。これは、マイクロホン信号が、図２に示された端子５６を介してインターコム回路に直接、図１１のオーディオ分配器９１に含まれたバッファーアンプ３７を介して、ルーティングされているからである。
【０１５４】
インターコムスピーカー信号は、図１１に示されたようなセレクター／エンコーダー１００を介してルーティングされ、そこではスピーカーラインは、図２に示されたような壁ソケット９とＣＡＴ５ケーブル６を介して、図８のセレクター／エンコーダー１０２にライン６Ｃを介して直接信号を供給するためのＲＪ４５コネクター２１に、端子５７を介して接続されている。
【０１５５】
図９は、インターコムのためのバッファー回路を組み込んでいないセレクター／エンコーダー１０３を示す。セレクター／エンコーダー１０３は、ツイストペアライン６Ｃを介して供給されたバッファーされたインターコムスピーカー信号を接続することのみを提供する。例えば、そのようなスピーカーのバッファーされた信号は、図１５の組み合わされたホームオートメーションおよびオーディオ分配器２００から、図３に示されたようなＣＡＴ５ケーブル６のツイストペアライン６Ｃを介して壁ソケット９に供給され、これに応じて上で説明したようにセレクター２２はスピーカー信号をエンコーダー２９に接続することができる。
【０１５６】
マイクロホン信号は図８および９のセレクター／エンコーダー１０２および１０３には供給されないので、図７に示されたマイクロホンライン６ＢのためのＦＭ復号器３６、マイクロホンバッファーアンプ３７およびＲＪ４５の接続ピン２１は、図８および９のセレクター／エンコーダー１０２および１０３のブロック図には含まれていない。上で説明したように、インターコム回路とオーディオシステムの間の異なる相互接続が可能であり、ビデオインターホンまたはインターコムへの／からのマイクロホン信号およびスピーカー信号は、バッファーされて、下で説明するようにセレクター／エンコーダー１００、１０１、１０２または１０３を通してであれ、オーディオ分配器を介してであれ、オーディオシステムへ／から伝播されることができることが、図７、８および９から明らかである。
【０１５７】
セレクター／エンコーダー１０１、１０２および１０３は全て、シリアルコマンドをＣＰＵ２４に供給するための多重化された符号化ライン６Ａを介して供給されたシリアルコマンド信号を抽出して復号するために、差動受信機３２とＡＳＫデコーター３３を含むように示されている。同様に、ＣＰＵ２４は、シリアルコマンドを多重化して、符号化ライン６Ａを介して分配器５５および６０〜６３に伝播するための差動ツイストペアドライバー３１に、シリアルコマンド信号を供給するように示されている。
【０１５８】
２ウェイで伝播されたシリアルコマンド信号に接続されることができるコネクター２１のピン６Ｄは、Ｉ／Ｏポートとしても知られる、シリアルコマンドポートである。図７、８および９はまた、全てのセレクター／エンコーダー１０１、１０２および１０３がそれぞれ、ツイストペアライン６Ｄを介して２ウェイシリアルコマンドを供給する、シリアルドライバー入力／出力２８を含むことを示す。この二重の信号伝播は、システム構成と、シリアルコマンド信号を伝播するための１つの経路または別のものの選択における柔軟性を可能とするが、それは必須ではない。
【０１５９】
上の全てから、セレクター／エンコーダー１００、１０１、１０２および１０３は、異なる回路のその他の変形および変更からなっていても良いことと、符号化されたステレオ信号とその他の多重化された信号を搬送しているカスケードしている単一のツイストペアを介してスピーカーのペアにステレオサウンドを供給するオーディオシステムのセットアップに異なる接続が実装されることができることと、オーディオシステムは、ＩＲまたはその他の遠隔制御デバイスによっておよび／またはホームオートメーションシステムによって伝播されたシリアルコマンドを介して、操作されることができること、が明らかである。
【０１６０】
参照されたセレクター／エンコーダーからなる拡張されたオーディオシステムは、ＣＡＴ５またはその他のケーブルのカスケードしているツイストペアを使って、ビデオインターホンまたはインターコムシステムとおよび／またはホームオートメーションシステムと、一体化されて接続されることができることも明らかである。
【０１６１】
図１０は、２ウェイシリアルコマンドの伝播を含み、符号化ライン６Ａを介してスピーカーに供給されたパワーをもち、符号化されたステレオ信号をｎ個のスピーカー９０および９９に伝播している、図１Ｄ〜１Ｆおよび図２に示された、オーディオ分配器６０を示す。オーディオ分配器６０は、マイクロホン信号をインターコム５０におよびインターコムスピーカー信号をスピーカー９０に接続するように、図１Ｅ、１Ｆおよび２に更に示されている。
【０１６２】
セレクター／エンコーダー１０１、１０２および１０３について上で説明したように、インターコム回路およびオーディオシステム回路のインピーダンスと信号レベルはマッチされる必要がある。このために、２つのバッファー回路、スピーカーバッファー３８とマイクロホンバッファー３７が図７に示されているが、図９には示されていない。図９のセレクター／エンコーダー１０３と共にバッファー回路を使わないことの理由は、分配器６０の端子５７および５８を介してビデオインターホン５０のインターコム回路の間で直接、およびこれもまた図２に示されたライン６Ａを介してオーディオシステムのスピーカー９０に、マイクロホンおよびインターコムスピーカー信号を伝播する、図１０に示されたオーディオ分配器６０中への同じバッファー回路の導入である。そのようなセットアップでは、セレクター／エンコーダー１０１の機能は、インターコムが起動された時に音楽をミュートまたはカットすることとモードをモノラルに切り替えることだけである。
【０１６３】
図１１は、マイクロホンバッファー３７を含むがインターコムスピーカーバッファー３８は含まない、オーディオ分配器６１を示す。マイクロホンのバッファーされた信号は、分配器６１の端子５６を介してビデオインターホン５０のマイクロホン端子（図示せず）に直接供給される。但し、インターコムスピーカー信号は、セレクター／エンコーダー１０２の対応するコネクターＲＪ４５を介して図８に示されたセレクター／エンコーダー１０２のスピーカーバッファー回路３８の入力にバッファーされていないスピーカー信号を供給している、ツイストペアライン６Ｃを介してＲＪ４５コネクター２１を通して供給される。
【０１６４】
図４Ａおよび５Ａのスピーカー９０または９１からのマイクロホン信号は、信号分離器およびＤＣ注入器または挿入器３５Ｂ−１〜３５Ｂ−ｎを介してツイストペア受信機およびドライバー４２−１〜４２−ｎを接続している差動ラインの端子から、そのマイクロホン回路が起動された時にインターコムと係合されたスピーカーチャネルを選択するための差動スイッチ４０に、供給される。差動スイッチ４０は、図１０および１１に１Ａ／１Ｂ〜ｎＡ／ｎＢとして示された２ウェイポートのいずれかを２ウェイポート１Ｃ／１Ｄ〜２Ｃ／２Ｄに接続するための、周知のアナログ多重化器スイッチまたは周知のデジタルスイッチのような、周知のセレクターである。差動スイッチ４０は、動作しているアクティブなマイクロホンのＦＭ変調された信号を、差動受信機３２、ＦＭ復調器３６およびバッファー３７からなるマイクロホン信号抽出器に伝播するように、ＣＰＵ４１によって動作させられ制御される。ＦＭ復号器３６は、バッファーされたマイクロホン信号をマイクロホン端子５６におよびＲＪ４５コネクター２１のマイクロホン接続ピンに供給するためのバッファーアンプ３７に、復号されたマイクロホン信号を供給する。
【０１６５】
インターコムスピーカー信号は、スピーカーのバッファーされた信号を差動ドライバー３１に供給するスピーカーバッファーアンプ３８に端子５７を通して供給されるように図１０に示されている。差動ドライバー３１は、差動スピーカー信号を、選択され係合されたスピーカーチャネル、即ち、そのマイクロホン信号が反対方向に供給されているチャネル、をインターコム５０と接続している差動ライン中に、差動スイッチ４０を通して注入する。これにより、選択されたスピーカーチャネルと本発明の示されたビデオインターホン５０のインターコム回路の間の２ウェイ通信が、良好に実装されていることが明らかになる。
【０１６６】
上で説明したように、ステレオエンコーダー２９は、例えば左スピーカーをミュートし、モノラルモードに切り替えるように命令されて、５０Ｈｚと５ＫＨｚの間の周波数レンジを有するモノラルスピーカーサウンドを、例の通りに右スピーカー信号のみを増幅するように命令されたスピーカーアンプ６８にスピーカー信号を供給するためにステレオデコーダー６７に供給された差動信号ラインに注入することを可能とする。２００ＫＨｚの搬送波周波数を有するＦＭ変調されたマイクロホン信号は、符号化されたステレオ３０Ｈｚ〜９０ＫＨｚ帯に割り当てられたオーディオ周波数から良く分離されており、よって、スピーカーおよびマイクロホン信号はお互いと干渉することができないのでせず、しかも全ての参照されたスピーカーのＣＰＵ４１は、音響的フィードバックが最小化され、信号が交番に伝播されるように、ハンドフリー回路７６を制御する。好ましい実施形態の符号化ライン６Ａを介したオーディオシステムを通したインターコム通信が、ビデオインターホンまたはインターコム５０とのハンドフリー通信を便利で欠陥のないものにすることが明白になる。
【０１６７】
図１０は、パワーをツイストペアライン６Ｇを介して図７のセレクター／エンコーダー１０１に接続するために、ＲＪ４５コネクター２１のピン６Ｇにも接続されているパワー端子またはコネクター５１を介して、パワーがオーディオ分配器６０に供給されることを示す。パワーは、調整されたＶＣＣ電圧源を分配器回路に、パワーを注入するための制御された電流をスピーカー端子１−１〜１−ｎに接続されたステレオ符号化ライン６Ａを介して図４Ａおよび５Ａのスピーカー９０および９１に提供するために、オーディオ分配器６０のパワー制御および調整３４に供給される。
【０１６８】
ＤＣ電流は、信号分離器およびＤＣ注入器回路３５Ｂ−１〜３５Ｂ−ｎを介して符号化ステレオラインに注入される。上で説明したその他のＤＣ注入または挿入回路と同様の回路は、スピーカーアッセンブリー９０および９１への／からの２ウェイ信号が通過することを許容して、パワーフィード端子からの全ての信号を除去するように、コイル、フィルターおよびコンデンサを含む。これにより、図１Ｂに示されたシステム中でのように、多重化されたシリアル信号および／またはＦＭ変調されたマイクロホン信号を含んだ参照されたセレクター／エンコーダーのいずれかから供給された符号化されたステレオ信号を含んだ２ウェイ通信は、全てツイストペアライン６Ａを介してスピーカー９０または９１に供給されたＤＣ電流と共に、乱れ無しで伝播されることができる。
【０１６９】
上で説明され、参照された米国特許5,923,363に開示された差動受信機とバッファー４２−１〜４２−ｎは、全て受信機／エンコーダー１００、１０１、１０２および１０３のいずれかからの符号化されたステレオ信号を供給されるが、宛先にされたドライバーまたは複数のドライバーのみがＣＰＵ４１によって命令された通りに動作する。図１０〜１５に示されるように、全ての参照された分配器６０、６１、６２、６３、６４および２００は、各ステレオチャネルのために部屋またはゾーンアドレスを設定するための回路４４−１〜４４−ｎを含み、また図１０〜１４に示された端子５３を介してオーディオ分配器のいずれかに接続されたホームオートメーションのシリアルコマンドを含んだ、符号化ライン６Ａを介しておよび／またはシリアルコマンドラインを介して伝播された、シリアルコマンド信号への／からの抽出および注入回路を含む。
【０１７０】
図２に示されたホームオートメーション分配器５５へ／から伝播されたシリアルコマンド信号は、それぞれのシリアルコマンドポートおよびシリアルコマンド信号ライン６Ｄを介して、ＣＰＵ４１への／からの、およびセレクター／エンコーダー１００、１０１、１０２および１０３への／からの、シリアルコマンドを供給し受信する、図１０〜１５の全ての参照されたオーディオ分配器に示されたシリアルコマンドポート５３およびライン６Ｄを介して、シリアルドライバー入力／出力２８を通して交換される。
【０１７１】
回路４４−１〜４４−ｎは、通過する符号化された信号またはインターコムスピーカー信号および／またはシリアルコマンドを供給するように、設定された通りの対応する宛先にされた部屋またはゾーンを有する差動ドライバーまたは複数のドライバー４２−１〜４２−ｎのみがコマンドを受信することを確かなものとする。但し、スピーカーから供給されたシリアル信号は、回路４４−１〜４４−ｎの抽出回路によってドライバー４２から抽出され、それに作用するようにＣＰＵ４１に供給されるか、またはＣＰＵ４１からシリアルドライバー２８を介してホームオートメーション分配器５５にまたはセレクター／エンコーダー１００〜１０３に伝播される。
【０１７２】
図１１は、インターコムスピーカー信号をツイストペアライン６Ｃを介して図７に示されたセレクター／エンコーダー１０１のスピーカーバッファー３８の入力に転送するために、インターコムスピーカー信号は処理されないが、端子５７を通してＲＪ４５コネクターに供給されるだけである、変形されたオーディオ分配器６１を示す。別の違いは、端子５１を介してパワーサプライ５６（図示せず）に直接リンクされるように示された、オーディオ分配器６１にパワーを与えることにある。パワーは、分配器回路のためにＶＣＣを、およびコネクター３−１〜３−ｎを介した図５Ｂのスピーカー９２への別のパワー分配を提供する、パワー制御および調整３４に供給される。パワーサプライ５６への接続の外では、直接かまたはホームオートメーション分配器５５とスピーカー９２へのパワーフィードとインターコム信号のセレクター／エンコーダー１０１への転送を通して、全ての残りの回路が、オーディオ分配器６０について上で説明したのと同じやり方で機能し動作する。
【０１７３】
図１２の分配器６２は、図１０の分配器６０の変形バージョンである。それは、インターコム相互接続と、インターコム通信一体化回路とマイクロホン／スピーカー選択器４０を含まない。それ以外は、オーディオ分配器６２は、ツイストペアライン６Ａを介したパワーを含んだ符号化されたステレオ信号をスピーカー９０および９１に伝播するためのオーディオ分配器６０と同一である。同様に、オーディオ分配器６２は、ホームオートメーション分配器５５に接続され、シリアルライン６Ｄとシリアルコマンドポートまたはコネクター５３を介して伝播された２ウェイシリアルコマンド信号で、ホームオートメーションシステムと、または符号化ライン６Ａを介しておよび／またはシリアルコマンドラインおよびポート６Ｄを介してセレクター／エンコーダー１０１と、通信することができる。
【０１７４】
図１３のオーディオ分配器６３は、図１０のオーディオ分配器６１の変形バージョンである。それは、マイクロホン処理回路と、インターホンスピーカーおよびマイクロホンラインへの相互接続と、マイクロホン／スピーカー選択器２２を含まない。それ以外は、それは、パワーコネクター３−１〜３−ｎを介したスピーカー９２へのダイレクトパワーフィード方法を有した、オーディオ分配器６１と同様である。分配器６３は、分配器６１と同様に、パワーフィードのため、およびシリアルラインおよびポート６Ｄを介してオーディオシステムとホームオートメーションシステムの間でまたは符号化ライン６Ａを介して分配器６３とセレクター／エンコーダー１０３の間でシリアルコマンドを交換するために、ホームオートメーション分配器５５と一体化されることができる。符号化されたステレオ信号のスピーカー９２への分配と、オーディオシステムおよびオーディオ分配器６３の制御は、分配器６３には含まれていないインターコムシステムの制御を除いて、分配器６０について上で説明したのと同じである。
【０１７５】
図１４は、増幅されたステレオ信号を図４Ｂに示されたｎ個のスピーカー９９に供給するためのｎ個のアンプ６５を組み合わせるオーディオ分配器６４を示す。分配器６４は、左／右ステレオ信号をｎ個のステレオアンプ６５に供給するために、符号化されたステレオ信号を差動受信機と注入器または挿入器３２を介して受信し、符号化された信号を図４Ａ、５Ａ、５Ｂおよび６Ａのスピーカーによって使われたデコーダーと同じか同様であるステレオデコーダー６７に供給する。ステレオ出力信号は、コネクター４−１Ｌ／４−１Ｒ〜４−ｎＬ／４−ｎＲとツイストペアライン６Ｆを介して図４Ｂに示されたスピーカー９９に供給される。図４Ｂに示されたスピーカーアッセンブリーがコネクター４をもったスピーカー自体のみを含み、その他の回路、マイクロホンおよびＩＲ受信機／ＩＲ送信機を含まないので、ＤＣ注入器、２ウェイ信号分離器および／または複数の差動受信機およびバッファ−のような、その他の参照された分配器で使われた回路の多くは、不要となり使用されない。
【０１７６】
オーディオ分配器６４へのパワーは、直接パワーサプライ５６から、またはホームオートメーション分配器５５を介して図１４に示されたコネクター５１に、またはツイストペアライン６ＧとＲＪ４５コネクター２１を介して、接続される。２ウェイシリアルコマンド信号は、シリアルコマンドライン６Ｄを介してかまたは符号化ライン６Ａを介して、両方ＲＪ４５コネクター２１を通して、オーディオ分配器６４とセレクター／エンコーダー１０１の間で伝播されることができる。オーディオシステムとホームオートメーションシステムを一体化しているシリアルコマンド信号は、分配器５５および６４の両方に接続され、シリアルコマンド端子またはポート５３を介して供給され、ドライバー２８を通して交換される。それ以外は、ＣＰＵ４１とステレオアンプ６５を含んだその他の回路は全て、上で説明された。
【０１７７】
上記の説明から、オーディオ分配器６４は、ツイストペア６Ｆ、各スピーカーを接続するための単一のツイストペア、を介して図４Ｂに示されたスピーカー９９に増幅されたステレオ信号を分配し、シリアルコマンドと多重化された符号化されたステレオ信号を供給するのに単一のツイストペアを使い、ＩＲ遠隔制御４８を介しておよび／またはホームオートメーションシステムを介して、セレクター／エンコーダー１０３のキーからスピーカーペアに供給された音楽を制御するためにシリアルコマンドを使う、ことができることが明らかである。
【０１７８】
図３に示されているのは、上で説明した全体を通してＣＡＴ５ケーブル６またはその他の標準的なケーブルとＲＪ４５コネクターまたはその他の標準的なコネクターを使った、本発明のオーディオシステムの相互接続方法と装置である。４つのツイストペアをＰＣネットワーキングのための標準として有する、ＣＡＴ５ケーブル６のような、与えられたケーブルの複数のツイストペアを使ったそのような相互接続のために、信号を個別に複数のツイストペアを介して伝播することが可能であるので、多重化された信号を単一のツイストペア上で伝播するために異なる信号を組み合わされた信号に多重化することの必要は要求されない。これにより、信号注入、抽出および／またはＤＣ注入回路は、不要となり、複数のツイストペア接続のために構造化された分配器またはスピーカーには含まれず、それは装備を施された複数のコネクターの材料コストと労働対コストの両方を補償し得る。
【０１７９】
図１５の分配器２００、図６Ａの左スピーカー２９０および図６Ｂの右スピーカー２９９は、全体を通してＣＡＴ５ケーブル６およびＲＪ４５コネクター２１を介して相互接続された、図３に示されたシステムに組み合わされる。ここでの左右のスピーカーへの言及は再度、便利さのためだけであり反転されることができ、そこでは左は右またはＡスピーカーとして読まれることができ、右は左またはＢスピーカーとして読まれることができる。
【０１８０】
図６Ａは、ＣＡＴ５ケーブル６を使って、左スピーカー２９０を図１５の組み合わされた分配器２００に接続するために２つのＲＪ４５コネクター２０１を使う、スピーカーアッセンブリー２９０を示す。コネクター２０２は、左スピーカーアッセンブリー２９０を、同じＣＡＴ５ケーブル６とＲＪ４５コネクターを介して図６Ｂに示された右スピーカーアッセンブリー２９９と接続するためのものである。多重化信号受信機、抽出器または分離器および注入器または挿入器３２は、図１４に示されたオーディオ分配器６４で使われたのと同じ回路であり、図５Ｂのスピーカーアッセンブリー９２に示された回路３２ＡのＦＭ変調されたマイクロホン信号のために入力を多重化すること無しに、２ウェイシリアル信号と多重化された符号化されたステレオ信号を受信するためのものである。これは、スピーカー２９０のマイクロホン信号が符号化ライン６Ａ中に注入されないからである。ハンドフリーマイクロホンアンプおよびバッファー７６Ｂから組み合わされた分配器２００に供給されたマイクロホン信号は、ＲＪ４５コネクター２０１を装備した、ＣＡＴ５ケーブル６のツイストペアライン６Ｂを介して供給されたバッファーされたマイクロホン信号である。
【０１８１】
上述したマイクロホン回路７６Ｂと上のコネクター２０１、２０２とシリアルドライバー２８とシリアル信号接続の追加の外では、スピーカー２９０は、その回路と動作が上に説明された図５Ｂに示されたスピーカー９２と同様である。
【０１８２】
シリアルドライバー２８の追加は、それらが設置された部屋またはゾーン中のＩＲ送信機２５Ｔ−１〜２５Ｔ−ｎとＩＲ受信機２５Ｒ−１〜２５Ｒ−ｎの適用範囲エリアを拡張するために、スピーカーアッセンブリー２９９に含まれたＩＲＲＸ２６ＲおよびＩＲＴＸ２６Ｔとシリアルコマンドを交換することを提供するためである。スピーカーアッセンブリー２９９へのパワーは、ＲＪ４５コネクター２０１を介してＣＡＴ５ケーブル６のツイストペア６Ｇを介して供給される。パワーは、スピーカーアッセンブリー９２のパワー調整器と同じである、制御および調整器３４に供給される。ＲＪ４５コネクター２０２の端子６Ｇは、スピーカーアッセンブリー２９９に供給するためのパワーラインを延ばすためのものである。図６Ｂのスピーカー２９９は、ライン６Ｆをスピーカーに接続するのに２つのピンを使うＲＪ４５コネクター２０２を例外として、図４Ａに示されたスピーカーと同様のスピーカーである。スピーカー９９と２９９の間のその他の違いは、上に説明されたＩＲ回路とシリアルドライバー２８である。スピーカーアッセンブリー２９９へのＩＲ回路の追加は、ホームオートメーションおよびオーディオシステムのＩＲ遠隔制御ネットワークのより広い適用範囲を提供するためである。
【０１８３】
図１５は、ＣＡＴ５ケーブルとＲＪ４５コネクターおよび／またはその他の標準的なまたは特注のケーブルおよび／またはその他の標準的なまたは特注のコネクターを介して本発明のオーディオシステムを相互接続することを提供する、組み合わされた分配器２００を示す。
【０１８４】
組み合わされた分配器２５５は、参照されたホームオートメーションの特許出願11/874,309、11/939,785および12/236,656によりここに組み込まれた、各々がパワーフィード有りかまたは無しの２ウェイシリアルコマンドをホームオートメーション個別制御回路（図示せず）に搬送しているツイストペア８Ａ〜８Ｄの４つのラインをもった、ＲＪ４５コネクター８−１〜８−ｎに供給するための回路ブロック２５５として示されている、ホームオートメーション回路を含む。ホームオートメーション回路ブロック２５５は、組み合わされた分配器２００に供給されたパワーによってパワーを与えられ、ＣＰＵ４１およびオーディオシステムの全てのデバイスと通信するためのシリアルドライバー２８とおよびそれを通して回路ブロック２５５を接続しているシリアルコマンドライン６Ｄを介して、組み合わされた分配器のその他のエレメントを通信する。
組み合わされた分配器２００は、ホームオートメーション分配器５５の同じコネクター５８を置き換えているＵＳＢのＲＪ４５コネクター５８と、オーディオ分配器６０の同じコネクター２1を置き換えているＲＪ４５壁ソケットコネクター２１と、ＲＪ４５コネクターを装備したＣＡＴ５ケーブルを使って、ビデオインターホンまたはインターコム５０を相互接続するためのＲＪ４５ビデオインターホンまたはインターコムコネクター７と、上で説明した、ｎ個のスピーカーアッセンブリー２９０を接続するためのｎ個のＲＪ４５スピーカーコネクター２０１−１〜２０１−ｎ、を含む。
【０１８５】
ＵＳＢコネクター５８は、上で説明したように、多重化された信号をツイストペアライン６Ｅを介して、２ウェイシリアル信号をライン６Ｄを介して、およびＶＣＣパワーフィードをライン６Ｇを介して、ホームオートメーション分配器５５のコネクター５８を置き換えている、図３に示されたＵＳＢ変換器８０に伝播するため、およびＵＳＢ変換器８０を図３に示されたＲＪ４５コネクター５８を装備したＣＡＴ５ケーブル６を介して組み合わされた分配器２００と相互接続するために、ビデオインターホン５０によって生成されたのと同じ多重化された信号をホームオートメーション分配器５５に供給する。
【０１８６】
壁ソケットコネクター２１は、スピーカー信号をライン６Ｃを介して変形されたセレクター／エンコーダー１００に供給するために、組み合わされた分配器２００のスピーカーバッファーアンプ３８によってバッファーされた、インターコムスピーカー信号を供給する。変形されたセレクター／エンコーダー１００は、図７に示されたスピーカーバッファー回路３８とマイクロホン処理回路３６とバッファー３７を含んでいない。壁ソケット２１を介して供給されたその他の信号は、オーディオ分配器６０〜６４との関係で上に説明されたのと同じ、ライン６Ｄを介したシリアルコマンド信号と、ライン６Ａを介したシリアルコマンド信号と多重化された符号化されたステレオ信号を含む。壁ソケット９は、組み合わされた分配器２００とセレクター／エンコーダー１００の間で延ばされて図３に示されている。壁ソケット９の第四のツイストペアは、パワーをライン６Ｇを介してセレクター／エンコーダー１００に供給する。これにより、壁ソケットコネクター２１は、インターコム５０のスピーカー信号を変形されたセレクター／エンコーダー１００に供給するための相互接続を含んだ、図３に示されたように組み合わされた分配器２００をセレクター／エンコーダー１００と接続することを提供する。
【０１８７】
ビデオインターホンコネクター７は、ツイストペアライン６Ｃを介してインターコム回路５０から供給されたスピーカー信号を、スピーカーバッファーアンプ３８の入力に転送し、それは上で説明したように、そのバッファーされた出力を壁ソケットに供給する。ビデオインターホンコネクター７はまた、これも上で説明したように、ビデオ、オーディオ、制御、警報およびデータが多重化された信号をツイストペアライン６Ｅを介してＵＳＢコネクター５８に供給する。コネクター７は、バッファーされたマイクロホン信号をツイストペアライン６Ｂを介してインターコム回路５０に伝播するために、マイクロホンドライバー出力端子アンプ３７に接続する。コネクター７の最後の接続されたライン６Ｄは、組み合わされた分配器２００とビデオインターホン５０の間でシリアルコマンドを交換するためのものであり、それにより、ＣＡＴ５ケーブルと標準的なＲＪ４５コネクター７を使ってビデオインターホン５０と組み合わされた分配器２００の間の全ての接続を提供する。
【０１８８】
ＲＪ４５コネクター２０１−１〜２０１−ｎの各々は、シリアルコマンドと多重化された符号化されたステレオ信号をライン６Ａを介してスピーカーアッセンブリー２９０に伝播し、ライン６Ｇを介してそれはパワーをスピーカーにリンクするかまたは供給する。ライン６Ｂは、バッファーされたマイクロホン信号を、図７および８のセレクター４０と同様であるがマイクロホン信号だけを１つの出力端子に接続することを提供するセレクター４０Ｍの入力に、逆方向に伝播する。セレクター４０Ｍの出力端子は、選択されたマイクロホン信号を、インピーダンスおよびマイクロホン信号レベルをビデオインターホンまたはインターコム５０のインピーダンスおよび信号レベルとマッチさせる上で説明したバッファーアンプ３７に供給する。全てのスピーカーコネクター２０１は、スピーカーと組み合わされた分配器２００の間でコマンドを交換するためにシリアルコマンドライン６Ｄに接続され、図３に示されたようにオーディオシステムとホームオートメーションシステムの全てのその他のデバイスに分配器２００によって分配される。
【０１８９】
組み合わされた分配器２００のその他の回路は、オーディオ分配器との関係で上に説明された。図１５は、シリアルコマンドをオーディオシステムとホームオートメーション／インターコムシステムに伝播するため、およびＣＰＵ４１を介して２つのシステムの間で交換するための、２つのシリアルドライバー２８を示す。パワー制御および調整器３４は、オーディオ分配器６１のパワー制御および調整器３４と同じであり、組み合わされた分配器２００の回路にパワーを与えるため、およびスピーカー２９０へのコネクター２０１−１〜２０１−ｎを介したパワーラインまたはリンク６Ｇを、壁ソケット２１を介してセレクター／エンコーダー１００まで延ばすため、およびパワーをホームオートメーション分配器回路ブロック２５５に供給するためのものである。
【０１９０】
差動ツイストペア受信機およびバッファー４２−１〜４２−ｎは、上で説明されオーディオ分配器６０、６１、６２および６３に示されたのと同じ回路であり、シリアルコマンドと多重化された符号化されたステレオ信号をライン６Ａを介してスピーカー２９０に供給するために使われる。戻りシリアルコマンドは、同じライン６Ａを介して伝播されることができるが、スピーカー２９０および２９９は、シリアルコマンドライン６Ｄを介してシリアルドライバー２８に接続されているので、図３に示された組み合わされたシステムの２ウェイコマンドは、スピーカー２９０および２９９のＩＲ受信機およびＩＲ送信機を介して交換されて操作されたＩＲ制御コマンドを含んだ、ライン６Ｄを介したシリアルコマンド通信交換に基づいている。
【０１９１】
上記と図３、６Ａ、６Ｂおよび１５から、本発明のオーディオシステムの分配器２００とスピーカー２９０および２９９を使った組み合わされたシステムは、ＲＪ４５コネクターを装備したカスケードしているＣＡＴ５ケーブルまたはその他のケーブルとコネクターを介した単純で効率的な相互接続を使って、ホームオートメーションシステムとおよびビデオインターホンまたはインターコムシステムと一体化されることができることが明らかである。また伝播されたステレオサウンド信号は、ＣＡＴ５ケーブルの単一のツイストペア６Ａを介してスピーカー２９９に組み合わされた分配器２００を通して供給された符号化されたステレオ信号であることも明らかである。
【０１９２】
またセレクター／エンコーダー１００または１０３は、スピーカー９０および９９と図１Ａおよび１Ｂに示されたツイストペア６Ａおよび６Ｆを相互接続しているスピーカーを置き換えている、ＲＪ４５コネクターを装備したＣＡＴ５ケーブル６を使ったカスケードしたネットワーク相互接続またはセグメント中のスピーカー２９０および２９９に接続されることができることも明らかである。
【０１９３】
オーディオシステムと一体化されたインターコムがない時には、マイクロホンとその関連付けられた回路は、必要でなくても良くて使われず、同様にもしオーディオシステムが据え置き型システムであれば、ＩＲ受信機および送信機とそれらの関連付けられた回路の全ては、必要でなくても良くて使われない。与えられたセットアップにおいて不要であり得る示されたあらゆるその他の回路は、その与えられたシステムのために使われなくても良い。
【０１９４】
上の発明の概要で説明された例では、左および右のスピーカーアッセンブリーの両方に単一チャネルアンプを設けることが可能であることが述べられ、例は示されていないが、そのようなセットアップは、二重に接続されたライン６Ａのために正しい終端を有する２つのスピーカーアッセンブリー５Ｂのような、同じ符号化されたステレオ信号を両スピーカーに供給するために、カスケードしたライン６Ａ中の２つのスピーカーを接続し、スピーカーのＣＰＵ４１の１つが左チャネルのみをプレイし、もう１つのＣＰＵ４１が右チャネルのみをプレイするように命令するかまたはプログラムすることによって、達成されることが明らかであるべきである。そのようなスピーカーについては、コネクター４は不要であり使われない一方、スピーカーアンプ６８は単一チャネル出力アンプに変更されても良い。
【０１９５】
相互接続の示された例の別の変形は、テナントの望ましい位置における２つのスピーカーアッセンブリ−９９の配置のために、壁ソケット９のような壁ソケットを介して図４Ｂまたは６Ｂに示された２つのスピーカーを接続するための、米国特許出願11/939,785に開示されたＩＲドライバーアッセンブリー中への、図４Ａ、５Ａ、５Ｂまたは６Ａのスピーカーアッセンブリー中に示された回路の全てを伴ったオーディオアンプ６８の導入である。
【０１９６】
周知の壁ソケットおよび描写された壁ソケット９への繰り返された言及は、ネットワーク接続のために一般的に使われるような、ＲＪ４５コネクターへのものであるが、あらゆるタイプの周知のまたは特注のコネクターおよび壁ソケットが代りに使われることができる。壁ソケットという用語は、コネクター有りまたは無しのピグテール、相互接続するジャンクションボックス、ジャンクションボード、またはジャンクションストリップおよび端子ブロックや同様のもののようなその他の相互接続デバイス、を含む。
セレクター／エンコーダー１００、１０１、１０２および１０３は、組み合わされたユニットとして上で言及され描写されたが、セレクターおよびエンコーダーは、例えばセレクター部から左右のステレオ信号をエンコーダー部に出力するための２つのツイストペアを使って、分割され、独立に操作され、追加のカスケードしている装備を施されたネットワークケーブルによって相互接続されることができる。残った２つのツイストペアの１つはシリアルコマンド信号のために、もう１つはパワーラインフィードのために、使われることができる。
【０１９７】
上の説明の全てから、スピーカーアッセンブリー、セレクター／エンコーダーおよび分配器にための多くの異なる相互接続および異なる回路が構造化および／または構成されることができること、または示された回路は多くの形に変形されることができ、また異なるセットアップに一体化されるができること、が明らかであるべきであり、そのような変形、変更およびセットアップについての全ての可能性が開示されてはいない。
【０１９８】
当然ながら、前述した開示は、発明の好ましい実施形態のみに関すること、開示の目的のためにここで選ばれた発明の例の全ての変更および変形を包含することが意図されており、それらの変形は発明の精神と範囲からの逸脱を構成しないこと、が理解されるべきである。
【図１Ａ】
0005529266.tif 000002
【図１Ｂ】
0005529266.tif 000003
【図１Ｃ】
0005529266.tif 000004
【図１Ｄ】
0005529266.tif 000005
【図１Ｅ】
0005529266.tif 000006
【図１Ｆ】
0005529266.tif 000007
【図２】
0005529266.tif 000008
【図３】
0005529266.tif 000009
【図４Ａ】
0005529266.tif 000010
【図４Ｂ】
0005529266.tif 000011
【図５Ａ】
0005529266.tif 000012
【図５Ｂ】
0005529266.tif 000013
【図６Ａ】
0005529266.tif 000014
【図６Ｂ】
0005529266.tif 000015
【図７】
0005529266.tif 000016
【図８】
0005529266.tif 000017
【図９】
0005529266.tif 000018
【図１０】
0005529266.tif 000019
【図１１】
0005529266.tif 000020
【図１２】
0005529266.tif 000021
【図１３】
0005529266.tif 000022
【図１４】
0005529266.tif 000023
【図１５】
0005529266.tif 000024